【事件の表示】
　特願２０１２−１７７５６８「ＬＥＤ駆動回路」拒絶査定不服審判事件〔平成２５年１２月１２日出願公開、特開２０１３−２５１５１８〕について、次のとおり審決する。
【結　論】
　本件審判の請求は、成り立たない。
【理　由】
第１　手続の経緯
平成２４年　８月　９日　特許出願（パリ条約による優先権主張外国庁受理
　　　　　　　　　　　　２０１２年６月１日、中華人民共和国）　
平成２６年　１月１５日　拒絶理由通知（同年１月２１日発送）　
平成２６年　４月２１日　意見書　
平成２６年　６月１２日　拒絶査定（同年６月１７日謄本の送達）　
平成２６年１０月１７日　本件審判請求・手続補正書
平成２７年　６月２９日　拒絶理由通知（同年６月３０日発送）　
平成２７年　９月３０日　意見書・手続補正書　
平成２７年１１月１３日　拒絶理由通知（同年１１月１７日発送　
　　　　　　　　　　　　以下「当審拒絶理由通知」という。)　
平成２８年　２月１７日　意見書
　
第２　本願発明
　本願の請求項１−１０に係る発明は、平成２７年９月３０日付け手続補正により補正された特許請求の範囲の請求項１−１０に記載された事項により特定されるとおりのものであるところ、請求項１は以下のとおりである。
「入力電圧を受信するための入力端、出力端、及び制御信号を受信して当該制御信号によって電源変換モジュール内部のデューティー比信号の調節を制御するための制御端を有し、前記入力電圧及び前記制御信号に応じて、電流が一定で電圧が調節可能である直流電圧を前記出力端から出力する電源変換モジュールと、
　第２端、第３端、及びＬＥＤ負荷の陰極に接続される第１端を有するスイッチモジュール、並びに、前記スイッチモジュールの第３端に接続される第１端、及び前記スイッチモジュールの第２端に接続され、前記ＬＥＤ負荷の陽極と共に前記電源変換モジュールの出力端に接続される第２端を有する第１抵抗を含み、前記ＬＥＤ負荷に流す電流を検出することにより過電流保護が実行されるべきかどうかを判断し、過電流保護が実行されるべきと判断される場合に、前記電流が前記ＬＥＤ負荷の最大動作電流を超えないように制限し、前記スイッチモジュールによって前記ＬＥＤ負荷の定格動作電流へと前記電流を徐々に減少させる過電流保護回路と、
　前記直流電圧が過電圧であるかどうかを検出し、過電圧である場合に前記制御信号を出力して、前記制御信号によってＬＥＤ負荷に対して過電圧保護を行うための過電圧保護回路と
　を備え、
　前記スイッチモジュールは、
　第１端が前記スイッチモジュールの第１端に接続され、第２端が前記スイッチモジュールの第３端に接続され、第３端が第２抵抗を介して前記ＬＥＤ負荷の前記陽極に接続され、ＮＭＯＳＦＥＴである第１スイッチと、
　第１端が前記第２抵抗及び前記第１スイッチの第３端に接続され、第２端が前記スイッチモジュールの第２端に接続され、第３端が前記スイッチモジュールの第３端に接続され、ＮＰＮトランジスタである第２スイッチと
　を含むダブルスイッチ相互制御回路であることを特徴とするＬＥＤ駆動回路。」（以下「本願発明」という。）　
　
第３　当審拒絶理由通知の概要
当審拒絶理由通知に記載した拒絶理由の概要は、以下のとおりである。　
　
(理由１）
　本件出願の請求項１乃至１０に係る発明は、その優先日前の特許出願であって、その優先日後に出願公開がされた下記の特許出願の願書に最初に添付された明細書、特許請求の範囲又は図面に記載された発明と同一であり、しかも、この出願の発明者がその優先日前の特許出願に係る上記の発明をした者と同一ではなく、またこの出願の時において、その出願人が上記特許出願の出願人と同一でもないので、特許法第２９条の２の規定により特許を受けることができない。
　 
　　　　　　　　　　　　　　　　　記 
　 
　特願２０１０−２８１２２１号（特開２０１２−１２９１２９号公報参照
　　　　　　　　　　　　　　　　以下「先願」という。） 
　
(理由２）
　本願発明１乃至１０は、その優先日（２０１２年６月１日）前日本国内または外国において頒布された下記の刊行物に記載された発明に基いて、その優先日前にその発明の属する技術の分野における通常の知識を有する者が容易に発明をすることができたものであるから、特許法第２９条第２項の規定により特許を受けることができない。 
　
 　　　　　　　　　　　　　　　　　記 
　
 引用する刊行物 
 　特開２０１２−６９４９４号公報（公開日：２０１２年４月５日、 
 　　　　　　　　　　　　　　　　　以下「刊行物」という。） 
　
第４　特許法第２９条の２について
１　先願明細書等の記載事項
　先願の願書に最初に添付された明細書、特許請求の範囲又は図面（以下「先願明細書等」という。）には、以下の記載がある（当審注：下線は、当審が付加した。以下、同様である。）。
　
（１）特許請求の範囲の記載
「【請求項１】
　
ＬＥＤモジュールが着脱可能に接続され、接続された前記ＬＥＤモジュールに電力を供給するＬＥＤ電源装置において、
　
商用電源を整流して得られた直流電圧を降圧し、降圧した直流電流を接続された前記ＬＥＤモジュールに供給する降圧回路と、
　
前記ＬＥＤモジュールが接続された場合に、前記ＬＥＤモジュールと共に直列接続を構成し、前記ＬＥＤモジュールに流れるＬＥＤ電流を検出するＬＥＤ電流検出部と、
　
前記ＬＥＤ電流検出部の検出した前記ＬＥＤ電流の値に基づいて、前記ＬＥＤ電流の値が所定の一定値となるように、前記降圧回路に定電流フィードバック制御をさせる電流制御回路と、
前記ＬＥＤモジュールが接続された場合に、前記ＬＥＤモジュールと、前記ＬＥＤ電流検出部と共に直列接続を構成し、前記ＬＥＤ電流検出部の検出した前記ＬＥＤ電流の値が所定の設定値を超えようとするときに、前記ＬＥＤ電流の値を前記所定の値以下に制限する電流リミット回路と
を備えた
ＬＥＤ電源装置
【請求項２】
　前記ＬＥＤ電源装置は、さらに、
　
前記ＬＥＤモジュールが接続されていないときの動作中の前記降圧回路の出力電圧が、所定の一定値となるように前記降圧回路に定電圧フィードバック制御をさせる電圧制御回路
ＬＥＤ電源装置
　
（２）技術分野の記載
「【０００１】
　この発明は、ＬＥＤモジュールに電源を供給すると共に、ＬＥＤモジュールの着脱可能なＬＥＤ電源装置に関する。」
　
（３）背景技術の記載
「【０００３】
　…ＬＥＤとＬＥＤ駆動回路とが内蔵されるタイプのものや、ＬＥＤと駆動回路である電源とが分離するタイプなど、様々のタイプがある。
【０００４】
　一般的に、ＬＥＤを駆動する電源は、ＬＥＤに一定電流を流し、ＬＥＤの順電圧のばらつきや変動に対してＬＥＤから安定した明るさを取り出すよう電流制御される。
【０００５】
　ＬＥＤと電源とが分離するタイプは、ＬＥＤが直列または直並列に接続されたＬＥＤモジュールとＬＥＤ電源のシステムがある。このようなタイプのＬＥＤ電源システムは、電源とＬＥＤモジュールとが着脱可能なコネクタやソケットで接続されている。…、直管形ＬＥＤランプは器具に脱着可能な構造のため、ＬＥＤ電源部は無負荷状態で電源が投入される場合や、点灯時のＬＥＤランプが取り外される場合もある。また、ＬＥＤランプが取り外された直後に、再接続されることもある。」
　
（４）発明が解決しようとする課題の記載
「【０００７】
　しかしながら、通常ＬＥＤ電源はＬＥＤランプが切り離されると無負荷状態になるため出力電圧が上昇する。何らかの手段で電圧上昇を抑えるが、電圧上昇を抑えた場合でも、出力電圧は通常のＬＥＤ点灯電圧よりも高くなる。このため、ＬＥＤランプを再度接続した場合に、ＬＥＤランプに過大電流が流れ、ＬＥＤが故障するおそれがあるという課題があった。
【０００８】
　本発明は、ＬＥＤランプを電源から切り離し、再度接続した場合に
ＬＥＤランプに過大な電流が流れることを防止でき
　
（５）発明の効果の記載
「【００１０】
　本発明によれば、ＬＥＤランプの着脱の可能なＬＥＤ電源装置にＬＥＤランプを再接続する際の
ＬＥＤランプ故障をなくす
　
（６）図面の簡単な説明の記載
「【００１１】
…
【図３】実施の形態１の電流制限回路１７を示す回路図。
…
【図７】実施の形態２のＬＥＤ電源装置２−２の構成図。
…」
　
（７）実施の形態１の記載
「【００１２】
　実施の形態１．
　図１は、本実施の形態を示すＬＥＤ電源装置２−１の構成図である。図１において、ＬＥＤ電源装置２−１は、商用電源１の供給を受け、ＬＥＤモジュール３が、着脱可能に接続される。ＬＥＤモジュール３はＬＥＤ直列回路３ａから構成される。ＬＥＤ電源装置２−１では、整流回路４が商用電源１と接続される。
【００１３】
（１）
ＤＣ−ＤＣコンバータ回路５
は、トランス６、スイッチング素子７、制御回路８、２次側整流ダイオード９、出力コンデンサ１０
から構成される
トランス６は、１次巻き線６ａ、２次巻き線６ｂ
を備える
（２）制御電源生成回路１１は、整流回路４の出力から低電圧の電源を生成し制御回路８に供給する。過電圧検出回路１２は、トランス６の２次側電圧を間接的に監視する。
（３）過電圧検出回路１２の出力は制御回路８のＯＶＰ（Ｏｖｅｒ　Ｖｏｌｔａｇｅ　Ｐｒｏｔｅｃｔｉｏｎ）端子に接続され、過電圧が検出されると制御回路８は発振を停止する。この状態は商用電源１の交流電圧が入力する限り継続する。商用電源１からの交流電圧が入力されなくなり、再度、商用電源１を投入すると復帰するよう動作する。また、制御回路８のＯＵＴ端子からスイッチング素子７を駆動する信号を出力する。
【００１４】
（定電流のフィードバック制御）
　２次制御電源生成回路１５は、
ＤＣ−ＤＣコンバータ回路５（降圧回路）
電流検出抵抗１４（ＬＥＤ電流検出部）
【００１５】
　コネクタＡ１８はＬＥＤ電源装置２−１の出力に接続され、コネクタＡ１８とコネクタＢ１９は機械的に接続、切り離しが可能な構造である。コネクタＢ１９にはＬＥＤモジュール３から引き出されたケーブル２０が終端される。よって、ＬＥＤモジュール３は、コネクタＡ１８とコネクタＢ１９との、接続及び切り離しにより、ＬＥＤ電源装置２−１への脱着が可能である。
　なお、
電流制限回路１７（電流リミット回路）
【００１６】
　図２はＬＥＤ電源装置２−１の動作タイミング図である。次に図２を参照してＬＥＤ電源装置２−１の動作を説明する。
　図２の（ａ）は、商用電源１のオン、オフ状態を示す。
　図２の（ｂ）は、ＤＣ−ＤＣコンバータ回路５の動作状態を示す。
　図２の（ｃ）は、コネクタＡ、Ｂの接続、非接続を示す。
　図２の（ｄ）は、出力コンデンサ１０の出力電圧を示す。
　図２の（ｅ）は、ＤＣ−ＤＣコンバータ回路５からの出力電流（ＬＥＤ電流）を示す。
【００１７】
　図２の（ａ）に示すタイミング（時刻ｔ１）で商用電源１がＯＮになれば、整流回路４から直流電圧が出力され、整流回路４からの直流電圧は制御電源生成回路１１によって低電圧の電源に変換され、制御回路８に供給される。そうすると、制御回路８がスイッチング素子７のスイッチングを開始するため、図２の（ｂ）に示すようにＤＣ−ＤＣコンバータ回路５が動作を開始（時刻ｔ１）する。すなわち、
制御回路８のＯＵＴ端子から高周波の信号が出力され、スイッチング素子７を高周波でＯＮ／ＯＦＦ
　
スイッチング素子７のＯＮ／ＯＦＦにより整流回路４の出力電圧からトランス６の１次巻き線６ａに供給された電圧は高周波電流となって２次側巻き線６ｂに伝達され
トランス６の２次巻き線６ｂから出力された電圧は２次側整流ダイオード９により直流に整流され、整流された直流電圧は出力コンデンサ１０により、リップル成分の少ない直流電圧に平滑され
この平滑された直流電圧によって、コネクタＡ１８、コネクタＢ１９、ケーブル２０、ＬＥＤモジュール３、電流制限回路１７、電流検出抵抗１４のループで電流が流れ
電流制御回路１３は電流検出抵抗１４で検出された検出電圧（ＬＥＤ電流に比例）を入力して設定電流との誤差電圧をフォトカプラ１６から制御回路８に帰還
…
【００１９】
（電流リミッタ）
　このとき（時刻ｔ３）、電流制限回路１７は、電流検出抵抗１４に流れる電流を検出して、「ＬＥＤモジュール３、電流制限回路１７、電流検出抵抗１４の閉回路」に一定以上の電流が流れないように動作し、出力コンデンサ１０の電荷を放電する。なお、出力コンデンサ１０は、ＬＥＤモジュール３がツェナーダイオードと同様に定電圧素子のために電流が流れなくなる電圧が残存（時刻ｔ４〜ｔ５）するが、問題ないことは明らかである。その後、図２の（ａ）で示すように、商用電源１をＯＦＦし、再度ＯＮ（時刻ｔ５）にした場合は、ＬＥＤモジュール３に通常状態の一定電流が流れる。
【００２０】
（電流制限回路１７の構成例）
　図３は電流制御回路１３及び電流制限回路１７の具体的な構成例を示す図である。更に、図３に示す具体的な回路を用いて電流リミッタ動作を説明する。図３ではＬＥＤ電源装置２−１の出力部の説明図であるが、コネクタ等を省略しており、また、図１と同一符号は同一部分を示す。図３において、電流制御回路１３は、誤差増幅器１３ａと基準電圧（Ｖｒｅｆ）１３ｂから構成される。
電流制限回路１７は、ＮＰＮトランジスタ１７ａ、ＮＰＮトランジスタ１７ｂ、ベース抵抗１７ｃから構成され
【００２１】
（定電流制御の通常時）
　例えば、
通常に流れるＬＥＤ電流Ｉ（ＬＥＤ）を０．５Ａ（第一閾値）
ＤＣ−ＤＣコンバータ回路５の出力電圧を調整して、ＬＥＤモジュール３に流れるＬＥＤ電流Ｉ
が
一定となるよう制御する
　図４は、トランジスタの飽和領域を示す図である。図４に示すように、飽和領域ではコレクタ、エミッタ間電圧Ｖｃｅは極めて小さい。すなわち、飽和状態のコレクタ、エミッタ間は抵抗（インピーダンス）が、ほぼ０である。
【００２２】
（電流のリミッタ動作）
　図２の（ｃ）に示す再接続のタイミング（時刻ｔ３）では、
出力コンデンサ１０の電圧が高いため、ＬＥＤモジュール３に流れるＬＥＤ電流Ｉ（ＬＥＤ）が０．５Ａ以上流れ出すと、電流検出抵抗１４の電圧ＮＰＮトランジスタ１７ｂのベース・エミッタ電圧Ｖｂｅが０．７Ｖに達
、ＮＰＮトランジスタ１７ｂにベース電流が流れ、電流検出抵抗１４の電圧が０．７Ｖで一定となるようＮＰＮトランジスタ１７ｂのベース電流がコントロールされ
したがって、ＬＥＤモジュール３に流れるＬＥＤ電流Ｉ（ＬＥＤ）は０．７Ａ（第二の閾値）で制限され
　図５は、電流制限回路１７のシミュレーション結果を示す図である。図５において、Ｑ１はトランジスタ１７ａ、Ｑ２はトランジスタ１７ｂである。
　図６の（ａ）、（ｂ）、（ｃ）はそれぞれ、図５における電圧ＶＰ１、電圧ＶＰ２、ＬＥＤ電流Ｌ１を示す。リミット動作中は、Ｑ１（トランジスタ１７ａ）のベース（Ｖｐ２）が１．４Ｖ（Ｑ１ベース電圧０．７Ｖ＋Ｑ２のベース電圧０．７Ｖ）になり、Ｑ１のベースには電流が流れ、１Ωの電流検出抵抗１４の両端電圧がＱ２のベース電圧と同電位のため、１Ωの電流検出抵抗１４は、０．７Ｖ／１Ω（０．７Ａ）の電流で制限される。従って、Ｑ２がＯＮになってもＱ１はＯＦＦすることはない。当然、Ｑ２がＯＮできない電圧の場合は、制限されずにＬＥＤモジュール３に電流が流れる。
【００２３】
　このように、実施の形態１のＬＥＤ電源装置２−１によれば、電流制限回路１７の動作により、ＬＥＤモジュール３に流れるＬＥＤ電流Ｉ（ＬＥＤ）が０．７Ａを超えることがない。また、通常動作時（定電流制制御時）には、電流制限回路１７を流れる電流に対して、電流制限回路１７は、インピーダンスがほぼゼロである。よって、通常動作時の効率がよい。
【００２４】
　実施の形態１のＬＥＤ電源装置２−１は、電流制御回路１３と、電流制限回路１７とが、電流検出抵抗１４を共用している。よって、簡易な構成で、フィードバックによる定電流制御と、電流リミット制御とを実施できる。よってＬＥＤ電源装置２−１の小型化と、コスト低減を図ることができる。」　
　
（８）実施の形態２の記載
「【００２５】
　実施の形態２．
　図７、図８を参照して実施の形態２を説明する。
実施の形態２では、実施の形態１に対してＬＥＤ電源装置２−２の構成が異なる。実施の形態２において、実施の形態１と同様の部分は同符号を付し、説明を省略する
　図７は、実施の形態２のＬＥＤ電源装置２−２の構成図である。実施の形態１のＬＥＤ電源装置２−１との相違は以下である。
（１）ＬＥＤ電源装置２−２内のトランス６には補助巻き線６ｃがない。
（２）したがって、実施の形態２のＬＥＤ電源装置２−２には、過電圧検出によるＤＣ−ＤＣコンバータ回路５の過電圧検出回路１２がない。
（３）
電圧制御回路２１
【００２６】
（電圧制御回路２１）
　
電圧制御回路２１の出力は、ダイオード２３−１を介してフォトカプラ１６に接続される。また、同様に電流制御回路１３の出力もダイオード２３を介してフォトカプラ１６に接続される。したがって、電圧制御回路２１と電流制御回路１３とは、ＯＲ回路で電圧または電流の誤差量を制御回路８に帰還する
電圧制御回路２１では、出力電圧の目標値はＬＥＤモジュール３に通常電流が流れているときの出力電圧より高い電圧値に設定している
　図８はＬＥＤ電源装置２−２の動作を示すタイミング図である。（ａ）〜（ｅ）は図２と同様の項目である。次に図８のタイミング図を参照してＬＥＤ電源装置２−２の動作を説明する。図２で述べたＬＥＤモジュール３の切り離しまでの動作は、実施の形態１と同様であるため説明を省略する。
【００２７】
（電圧リミッタ）
　
ＬＥＤ電源装置
とＬＥＤモジュール３
が
切り離されると（時刻ｔ２）、ＤＣ−ＤＣコンバータ回路５は電流制御回路１３による一定電流制御から、電圧制御回路２１による電圧一定制御に切り替わ
出力コンデンサ１０の電圧は電圧制御回路２１の設定電圧まで上昇し、その電圧で固定（電圧リミッタ）される。
【００２８】
（電流リミッタ）
　その後、ＬＥＤモジュール３が再接続（時刻ｔ３）されると、実施の形態１と同様に電流制限回路１７が動作して予め設定された電流で制限される。そして、出力コンデンサ１０の電圧が通常の電圧まで放電したときに（時刻ｔ４）、再度、電流制御回路１３が動作し、ＬＥＤモジュール３に流れるＬＥＤ電流Ｉ（ＬＥＤ）を一定に制御する。
【００２９】
　以上、実施の形態２のＬＥＤ電源装置２−２によれば、電圧制御回路２１によって、設定電圧以下となるようにＤＣ−ＤＣコンバータ回路５を間欠発振動作させるので、出力コンデンサ１０に充電される電圧を、設定電圧以下できる。さらに、ＬＥＤモジュール３がＬＥＤ電源装置２−２に取り付けられたとき、ＬＥＤ電源装置２−２に供給されている商用電源１を遮断することなく、ＬＥＤモジュール３に電力を供給できる効果がある。
【００３０】
　実施の形態１のＬＥＤ電源装置２−１では、ＯＶＰ端子を用いてＤＣ−ＤＣコンバータ回路５を発振停止状態とするので、トランス６の二次巻き線６ｂには電圧が発生しなくなる。このため、ＬＥＤモジュール３がＬＥＤ電源装置２−１に対して、脱状態から着状態となっても、ＬＥＤ電源装置２−１側ではＬＥＤモジュール３が取り付けられたことを検出できない。しかし、実施の形態２のＬＥＤ電源装置２−２では、ＤＣ−ＤＣコンバータ回路５を間欠発振させるので、ＬＥＤモジュール３が取り付けられると、電圧制御回路２１が検出する電圧が設定電圧以下となるため、ＤＣ−ＤＣコンバータ回路５の動作が間欠発振状態から定常発振状態に切り替わる。したがって、ＬＥＤモジュール３がＬＥＤ電源装置２−２に取り付けられたとき、ＤＣ−ＤＣコンバータ回路５の発振停止状態を解除するために商用電源１を遮断しなくてもよくなる効果がある。」
　
（９）符号の説明の記載
「【００３６】
　１　商用電源、…，２−２，…　ＬＥＤ電源装置、３　ＬＥＤモジュール、４　整流回路、５　ＤＣ−ＤＣコンバータ回路、６　トランス、７　スイッチング素子、８　制御回路、９　２次側整流ダイオード、１０　出力コンデンサ、１１　制御電源生成回路、…、１３　電流制御回路、１４　電流検出抵抗、１５　２次制御電源生成回路、１６　フォトカプラ、１７　電流制限回路、１８，１９　コネクタ、２０　ケーブル、２１　電圧制御回路、２３−１，…　ダイオード、…。」
　
（１０）図３、図７は、以下のとおりのものである。
　
２　先願発明
　以下、特許請求の範囲の記載と実施の形態２に基づいて先願明細書等に記載された発明を認定する。その際、上記１（８）には、「実施の形態２では、実施の形態１に対してＬＥＤ電源装置２−２の構成が異なる。実施の形態２において、実施の形態１と同様の部分は同符号を付し、説明を省略する。」と記載されているので、第２の実施の形態において、実施の形態１と同符号が付されている部分については、実施の形態１の記載を参酌する。　
（１）上記１（１）によれば、　
「ＬＥＤモジュールが着脱可能に接続され、接続された前記ＬＥＤモジュールに電力を供給するＬＥＤ電源装置において、
　商用電源を整流して得られた直流電圧を降圧し、降圧した直流電流を接続された前記ＬＥＤモジュールに供給する降圧回路と、
　前記ＬＥＤモジュールが接続された場合に、前記ＬＥＤモジュールと共に直列接続を構成し、前記ＬＥＤモジュールに流れるＬＥＤ電流を検出するＬＥＤ電流検出部と、
　前記ＬＥＤ電流検出部の検出した前記ＬＥＤ電流の値に基づいて、前記ＬＥＤ電流の値が所定の一定値となるように、前記降圧回路に定電流フィードバック制御をさせる電流制御回路と、
　前記ＬＥＤモジュールが接続された場合に、前記ＬＥＤモジュールと、前記ＬＥＤ電流検出部と共に直列接続を構成し、前記ＬＥＤ電流検出部の検出した前記ＬＥＤ電流の値が所定の設定値を超えようとするときに、前記ＬＥＤ電流の値を前記所定の値以下に制限する電流リミット回路と、
　前記ＬＥＤモジュールが接続されていないときの動作中の前記降圧回路の出力電圧が、所定の一定値となるように前記降圧回路に定電圧フィードバック制御をさせる電圧制御回路を備えたＬＥＤ電源装置。」　
が記載されている。
　
（２）上記１（７）「【００１４】…ＤＣ−ＤＣコンバータ回路５（降圧回路）…。…電流検出抵抗１４（ＬＥＤ電流検出部）…。【００１５】…電流制限回路１７（電流リミット回路）…」との記載によれば、上記（１）の「降圧回路」は、実施の形態１、２では「ＤＣ−ＤＣコンバータ回路５」であり、同様に、「ＬＥＤ電流検出部」は「電流検出抵抗１４」、「電流リミット回路」は「電流制限回路１７」である。また、上記１（８）「【００２５】実施の形態２．…電圧制御回路２１…。」との記載によれば、上記（１）の「電圧制御回路」は「電圧制御回路２１」である。
　
（３）上記１（７）【００１３】の記載によれば、ＤＣ−ＤＣコンバータ回路５は、１次巻き線６ａ、２次巻き線６ｂを備えるトランス６、スイッチング素子７、制御回路８、２次側整流ダイオード９、出力コンデンサ１０から構成される。また、上記１（７）の記載を踏まえて図７を見ると、ＤＣ−ＤＣコンバータ回路５は、商用電源１の交流電圧を整流回路４で整流し、整流回路４が出力する直流電圧をトランス６の一次巻き線６ａの一端に供給すること、２次側整流ダイオード９と出力コンデンサ１０の接続端から直流電圧を出力すること、制御回路８のＦＢ端子にはフォトカプラ１６から誤差電圧が帰還されること、出力コンデンサ１０の端子のうち２次側整流ダイオード９に接続されない端子は、共通電位に接続されることが看取できる。
　
（４）上記１（７）、（８）の記載を踏まえて図３、図７を見ると、電流検出抵抗１４は、その一端が電流制限回路１７のＮＰＮトランジスタ１７ａのエミッタ端子とＮＰＮトランジスタ１７ｂのベース端子に接続され、その他端が共通電位に接続されることが看取できる。
　
（５）上記１（７）、（８）の記載を踏まえて図３、図７を見ると、電流制御回路１３は、電流検出抵抗１４で検出された検出電圧を入力し、検出電圧（ＬＥＤ電流に比例）と設定電流値との誤差電圧をダイオード２３に出力することが看取できる。
　
（６）上記１（７）【００２０】の記載を踏まえて図３を見ると、電流制限回路１７に関し、以下の事項が看取できる。
（ａ）電流制限回路１７は、ＮＰＮトランジスタ１７ａ、１７ｂ、ベース抵抗１７ｃから構成され、
（ｂ）ＮＰＮトランジスタ１７ａは、コレクタ端子がＬＥＤモジュール３のカソード側に接続され、ベース端子がベース抵抗１７ｃの一端とＮＰＮトランジスタ１７ｂのコレクタ端子に接続され、エミッタ端子が電流検出抵抗１４の一端とＮＰＮトランジスタ１７ｂのベース端子に接続され、
（ｃ）ＮＰＮトランジスタ１７ｂは、コレクタ端子がベース抵抗１７ｃの一端とＮＰＮトランジスタ１７ａのベース端子に接続され、ベース端子が電流検出抵抗１４の一端とＮＰＮトランジスタ１７ａのエミッタ端子に接続され、エミッタ端子が電流検出抵抗１４の他端に接続され、
（ｄ）ベース抵抗１７ｃは、一端がＮＰＮトランジスタ１７ａのベース端子とＮＰＮトランジスタ１７ｂのコレクタ端子に接続され、他端がＬＥＤモジュール３の陽極側（ＤＣ−ＤＣコンバータ５の出力）に接続されること。
　
（７）上記１（８）の記載を踏まえて図７を見ると、電圧制御回路２１は、ＤＣ−ＤＣコンバータ回路５の出力電圧を入力し、出力電圧が目標値となるように誤差電圧をダイオード２３−１に出力することが看取できる。
　
（８）上記１（８）【００２６】の記載を踏まえて図７を見ると、ＬＥＤ電源装置は、ダイオード２３とダイオード２３−１が構成するＯＲ回路とフォトカプラ１６を備え、電流制御回路１３が出力する誤差電圧と電圧制御回路２１が出力する誤差電圧をＯＲ回路に入力し、電圧または電流の誤差電圧をフォトカプラ１６を介してＤＣ−ＤＣコンバータ回路５の制御回路８のＦＢ端子に帰還することが看取できる。
　
（９）上記１（７）【００１７】、【００２１】の記載によれば、通常時のＬＥＤ電源装置の動作は以下のとおりである。
　制御回路８のＯＵＴ端子から高周波の信号が出力され、スイッチング素子７のＯＮ／ＯＦＦにより整流回路４の出力電圧からトランス６の１次巻き線６ａに供給された電圧は高周波電流となって２次側巻き線６ｂに伝達され、トランス６の２次巻き線６ｂから出力された電圧は２次側整流ダイオード９により直流に整流され、整流された直流電圧は出力コンデンサ１０により、リップル成分の少ない直流電圧に平滑され、この平滑された直流電圧によって、コネクタＡ１８、コネクタＢ１９、ケーブル２０、ＬＥＤモジュール３、電流制限回路１７、電流検出抵抗１４のループで電流が流れ、電流制御回路１３は電流検出抵抗１４で検出された検出電圧（ＬＥＤ電流に比例）を入力して設定電流との誤差電圧をフォトカプラ１６から制御回路８に帰還し、ＤＣ−ＤＣコンバータ回路５の出力電圧を調整して、ＬＥＤモジュール３に流れるＬＥＤ電流Ｉが一定となるよう制御する。
　
（１０）上記１（８）の記載によれば、ＬＥＤモジュール切り離し時のＬＥＤ電源装置の動作は以下のとおりである。
　ＬＥＤ電源装置とＬＥＤモジュール３が切り離されると、ＤＣ−ＤＣコンバータ回路５は電流制御回路１３による一定電流制御から、電圧制御回路２１による電圧一定制御に切り替わり、出力コンデンサ１０の電圧は電圧制御回路２１の設定電圧（ＬＥＤモジュール３に通常電流が流れているときの出力電圧より高い電圧値）まで上昇し、その電圧で固定（電圧リミッタ）される。
　
（１１）上記１（４）、（５）、（７）の記載によれば、ＬＥＤモジュール再接続時のＬＥＤ電源装置の動作は以下のとおりである
　出力コンデンサ１０の電圧が高いため、ＬＥＤモジュール３に流れるＬＥＤ電流Ｉが０．５Ａ以上流れ出すと、電流検出抵抗１４の電圧ＮＰＮトランジスタ１７ｂのベース・エミッタ電圧Ｖｂｅが０．７Ｖに達し、ＮＰＮトランジスタ１７ｂにベース電流が流れ、電流検出抵抗１４の電圧が０．７Ｖで一定となるようＮＰＮトランジスタ１７ｂのベース電流がコントロールされ、したがって、ＬＥＤモジュール３に流れるＬＥＤ電流Ｉ（ＬＥＤ）は０．７Ａ（第二の閾値）で制限され、ＬＥＤランプに過大な電流が流れることを防止でき、ＬＥＤランプの故障がなくなる。
　
（１２）以上によれば、刊行物には、以下の発明が記載されている。
「ＬＥＤモジュールが着脱可能に接続され、接続された前記ＬＥＤモジュールに電力を供給するＬＥＤ電源装置において、
　商用電源を整流して得られた直流電圧を降圧し、降圧した直流電流を接続された前記ＬＥＤモジュールに供給するＤＣ−ＤＣコンバータ回路５と、
　前記ＬＥＤモジュールが接続された場合に、前記ＬＥＤモジュールと共に直列接続を構成し、前記ＬＥＤモジュールに流れるＬＥＤ電流を検出する電流検出抵抗１４と、
　前記電流検出抵抗１４の検出した前記ＬＥＤ電流の値に基づいて、前記ＬＥＤ電流の値が所定の一定値となるように、前記ＤＣ−ＤＣコンバータ回路５に定電流フィードバック制御をさせる電流制御回路と、
　前記ＬＥＤモジュールが接続された場合に、前記ＬＥＤモジュールと、前記電流検出抵抗１４と共に直列接続を構成し、前記電流検出抵抗１４の検出した前記ＬＥＤ電流の値が所定の設定値を超えようとするときに、前記ＬＥＤ電流の値を前記所定の値以下に制限する電流制限回路１７と、
　前記ＬＥＤモジュールが接続されていないときの動作中の前記ＤＣ−ＤＣコンバータ回路５の出力電圧が、所定の一定値となるように前記ＤＣ−ＤＣコンバータ回路５に定電圧フィードバック制御をさせる電圧制御回路２１と、
　ダイオード２３とダイオード２３−１が構成するＯＲ回路とフォトカプラ１６と、
を備え、
　前記ＤＣ−ＤＣコンバータ回路５は、１次巻き線６ａ、２次巻き線６ｂを備えるトランス６、スイッチング素子７、制御回路８、２次側整流ダイオード９、出力コンデンサ１０から構成され、商用電源１の交流電圧を整流回路４で整流し、整流回路４が出力する直流電圧をトランス６の一次巻き線６ａの一端に供給し、２次側整流ダイオード９と出力コンデンサ１０の接続端から直流電圧を出力し、制御回路８のＦＢ端子にはフォトカプラ１６から誤差電圧が帰還され、出力コンデンサ１０の２次側整流ダイオード９に接続されない端子は、共通電位に接続され、
　電流制限回路１７は、ＮＰＮトランジスタ１７ａ、１７ｂ、ベース抵抗１７ｃから構成され、
　前記ＮＰＮトランジスタ１７ａは、コレクタ端子がＬＥＤモジュール３のカソード側に接続され、ベース端子がベース抵抗１７ｃの一端とＮＰＮトランジスタ１７ｂのコレクタ端子に接続され、エミッタ端子が電流検出抵抗１４の一端とＮＰＮトランジスタ１７ｂのベース端子に接続され、
　前記ＮＰＮトランジスタ１７ｂは、コレクタ端子がベース抵抗１７ｃの一端とＮＰＮトランジスタ１７ａのベース端子に接続され、ベース端子が電流検出抵抗１４の一端とＮＰＮトランジスタ１７ａのエミッタ端子に接続され、エミッタ端子が電流検出抵抗１４の他端に接続され、
　前記ベース抵抗１７ｃは、一端がＮＰＮトランジスタ１７ａのベース端子とＮＰＮトランジスタ１７ｂのコレクタ端子に接続され、他端がＬＥＤモジュール３の陽極側（ＤＣ−ＤＣコンバータ５の出力）に接続され
　前記電流検出抵抗１４は、その一端が電流制限回路１７のＮＰＮトランジスタ１７ａのエミッタ端子とＮＰＮトランジスタ１７ｂのベース端子に接続され、その他端が共通電位に接続され、
　前記電流制御回路１３は、電流検出抵抗１４で検出された検出電圧を入力し、検出電圧と設定電流値との誤差電圧をダイオード２３に出力し、
　電圧制御回路２１は、ＤＣ−ＤＣコンバータ回路５の出力電圧を入力し、出力電圧が目標値となるように誤差電圧をダイオード２３−１に出力し、
　前記ＯＲ回路は、電流制御回路１３が出力する誤差電圧と電圧制御回路２１が出力する誤差電圧を入力し、電圧または電流の誤差電圧をフォトカプラ１６を介してＤＣ−ＤＣコンバータ回路５の制御回路８のＦＢ端子に帰還し、
　通常時、ＬＥＤモジュール切り離し時、ＬＥＤモジュール再接続時に以下のとおり動作するＬＥＤ電源装置。
　通常時の動作：制御回路８のＯＵＴ端子から高周波の信号が出力され、スイッチング素子７のＯＮ／ＯＦＦにより整流回路４の出力電圧からトランス６の１次巻き線６ａに供給された電圧は高周波電流となって２次側巻き線６ｂに伝達され、トランス６の２次巻き線６ｂから出力された電圧は２次側整流ダイオード９により直流に整流され、整流された直流電圧は出力コンデンサ１０により、リップル成分の少ない直流電圧に平滑され、この平滑された直流電圧によって、コネクタＡ１８、コネクタＢ１９、ケーブル２０、ＬＥＤモジュール３、電流制限回路１７、電流検出抵抗１４のループで電流が流れ、電流制御回路１３は電流検出抵抗１４で検出された検出電圧（ＬＥＤ電流に比例）を入力して設定電流との誤差電圧をフォトカプラ１６から制御回路８に帰還し、ＤＣ−ＤＣコンバータ回路５の出力電圧を調整して、ＬＥＤモジュール３に流れるＬＥＤ電流Ｉが一定となるよう制御する。
　ＬＥＤモジュール切り離し時の動作：ＬＥＤ電源装置とＬＥＤモジュール３が切り離されると、ＤＣ−ＤＣコンバータ回路５は電流制御回路１３による一定電流制御から、電圧制御回路２１による電圧一定制御に切り替わり、出力コンデンサ１０の電圧は電圧制御回路２１の設定電圧（ＬＥＤモジュール３に通常電流が流れているときの出力電圧より高い電圧値）まで上昇し、その電圧で固定（電圧リミッタ）される。
　ＬＥＤモジュール再接続時の動作：出力コンデンサ１０の電圧が高いため、ＬＥＤモジュール３に流れるＬＥＤ電流Ｉが０．５Ａ以上流れ出すと、電流検出抵抗１４の電圧とＮＰＮトランジスタ１７ｂのベース・エミッタ電圧Ｖｂｅが０．７Ｖに達し、ＮＰＮトランジスタ１７ｂにベース電流が流れ、電流検出抵抗１４の電圧が０．７Ｖで一定となるようＮＰＮトランジスタ１７ｂのベース電流がコントロールされ、したがって、ＬＥＤモジュール３に流れるＬＥＤ電流Ｉ（ＬＥＤ）は０．７Ａ（第二の閾値）で制限され、ＬＥＤランプに過大な電流が流れることを防止でき、ＬＥＤランプの故障がなくなる。」（以下「先願発明」という。）
　
３　対比
　本願発明と先願発明を対比する。
（１）本願発明の「入力電圧を受信するための入力端、出力端、及び制御信号を受信して当該制御信号によって電源変換モジュール内部のデューティー比信号の調節を制御するための制御端を有し、前記入力電圧及び前記制御信号に応じて、電流が一定で電圧が調節可能である直流電圧を前記出力端から出力する電源変換モジュール」と、先願発明の「１次巻き線６ａ、２次巻き線６ｂを備えるトランス６、スイッチング素子７、制御回路８、２次側整流ダイオード９、出力コンデンサ１０から構成され、商用電源１の交流電圧を整流回路４で整流し、整流回路４が出力する直流電圧をトランス６の一次巻き線６ａの一端に供給し、２次側整流ダイオード９と出力コンデンサ１０の接続端から直流電圧を出力し、制御回路８のＦＢ端子にはフォトカプラ１６から誤差電圧が帰還され」る「ＤＣ−ＤＣコンバータ回路５」であって、「制御回路８のＯＵＴ端子から高周波の信号が出力され、スイッチング素子７のＯＮ／ＯＦＦにより整流回路４の出力電圧からトランス６の１次巻き線６ａに供給された電圧は高周波電流となって２次側巻き線６ｂに伝達され、トランス６の２次巻き線６ｂから出力された電圧は２次側整流ダイオード９により直流に整流され、整流された直流電圧は出力コンデンサ１０により、リップル成分の少ない直流電圧に平滑され」、「ＤＣ−ＤＣコンバータ回路５の出力電圧を調整して、ＬＥＤモジュール３に流れるＬＥＤ電流Ｉが一定となる」「ＤＣ−ＤＣコンバータ回路５」を対比する。
ア　先願発明の「商用電源１の交流電圧を整流回路４で整流し、整流回路４が出力する直流電圧」が「供給」される「トランス６の一次巻き線６ａの一端」が、本願発明の「入力電圧を受信するための入力端」に相当する。
イ　先願発明の「直流電圧を出力」する「２次側整流ダイオード９と出力コンデンサ１０の接続端」が、本願発明の「出力端」に相当する。
ウ　本願発明の「制御信号を受信して当該制御信号によって電源変換モジュール内部のデューティー比信号の調節を制御するための制御端」と先願発明の「フォトカプラ１６から誤差電圧が帰還され」る「制御回路８のＦＢ端子」を対比する。後者の「誤差電圧」が前者の「制御信号」に相当し、後者の「制御回路８のＦＢ端子」が前者の「制御端」に相当する。してみると、両者は、「制御信号を受信」「するための制御端」の点で一致する。
エ　本願発明の「前記入力電圧及び前記制御信号に応じて、電流が一定で電圧が調節可能である直流電圧を前記出力端から出力する」ことと、先願発明の「制御回路８のＯＵＴ端子から高周波の信号が出力され、スイッチング素子７のＯＮ／ＯＦＦにより整流回路４の出力電圧からトランス６の１次巻き線６ａに供給された電圧は高周波電流となって２次側巻き線６ｂに伝達され、トランス６の２次巻き線６ｂから出力された電圧は２次側整流ダイオード９により直流に整流され、整流された直流電圧は出力コンデンサ１０により、リップル成分の少ない直流電圧に平滑され」、「ＤＣ−ＤＣコンバータ回路５の出力電圧を調整して、ＬＥＤモジュール３に流れるＬＥＤ電流Ｉが一定となる」ことを対比する。後者の「整流回路４の出力電圧からトランス６の１次巻き線６ａに供給された電圧」が前者の「入力電圧」に相当し、後者の「ＬＥＤモジュール３に流れるＬＥＤ電流Ｉが一定となる」ことは前者の「電流が一定」であることに相当し、後者の「ＤＣ−ＤＣコンバータ回路５の出力電圧を調整」することは前者の「電圧が調節可能である」ことに相当する。また、後者の「ＤＣ−ＤＣコンバータ回路５」の出力電圧は、トランス６の一次巻線６ａの一端に供給される直流電圧と、「制御回路８のＦＢ端子に」「帰還され」る「誤差電圧」に応じるものと言える。してみると、両者は、相当関係にある。
オ　本願発明の「電源変換モジュール」と先願発明の「ＤＣ−ＤＣコンバータ回路５」は相当関係にある。
カ　以上によれば、両者は、「入力電圧を受信するための入力端、出力端、及び制御信号を受信するための制御端を有し、前記入力電圧及び前記制御信号に応じて、電流が一定で電圧が調節可能である直流電圧を前記出力端から出力する電源変換モジュール」の点で一致する。
　
（２）本願発明の「第２端、第３端、及びＬＥＤ負荷の陰極に接続される第１端を有するスイッチモジュール、並びに、前記スイッチモジュールの第３端に接続される第１端、及び前記スイッチモジュールの第２端に接続され、前記ＬＥＤ負荷の陽極と共に前記電源変換モジュールの出力端に接続される第２端を有する第１抵抗を含み、前記ＬＥＤ負荷に流す電流を検出することにより過電流保護が実行されるべきかどうかを判断し、過電流保護が実行されるべきと判断される場合に、前記電流が前記ＬＥＤ負荷の最大動作電流を超えないように制限し、前記スイッチモジュールによって前記ＬＥＤ負荷の定格動作電流へと前記電流を徐々に減少させる過電流保護回路」であって、「前記スイッチモジュールは、第１端が前記スイッチモジュールの第１端に接続され、第２端が前記スイッチモジュールの第３端に接続され、第３端が第２抵抗を介して前記ＬＥＤ負荷の前記陽極に接続され、ＮＭＯＳＦＥＴである第１スイッチと、第１端が前記第２抵抗及び前記第１スイッチの第３端に接続され、第２端が前記スイッチモジュールの第２端に接続され、第３端が前記スイッチモジュールの第３端に接続され、ＮＰＮトランジスタである第２スイッチとを含むダブルスイッチ相互制御回路であること」と、先願発明の「ＮＰＮトランジスタ１７ａ、１７ｂ、ベース抵抗１７ｃから構成され、
　前記ＮＰＮトランジスタ１７ａは、コレクタ端子がＬＥＤモジュール３のカソード側に接続され、ベース端子がベース抵抗１７ｃの一端とＮＰＮトランジスタ１７ｂのコレクタ端子に接続され、エミッタ端子が電流検出抵抗１４の一端とＮＰＮトランジスタ１７ｂのベース端子に接続され、
　前記ＮＰＮトランジスタ１７ｂは、コレクタ端子がベース抵抗１７ｃの一端とＮＰＮトランジスタ１７ａのベース端子に接続され、ベース端子が電流検出抵抗１４の一端とＮＰＮトランジスタ１７ａのエミッタ端子に接続され、エミッタ端子が電流検出抵抗１４の他端に接続され、
　前記ベース抵抗１７ｃは、一端がＮＰＮトランジスタ１７ａのベース端子とＮＰＮトランジスタ１７ｂのコレクタ端子に接続され、他端がＬＥＤモジュール３の陽極側（ＤＣ−ＤＣコンバータ５の出力）に接続され」る「電流制限回路１７」と「その一端が電流制限回路１７のＮＰＮトランジスタ１７ａのエミッタ端子とＮＰＮトランジスタ１７ｂのベース端子に接続され、その他端が共通電位に接続され」る「電流検出抵抗１４」であって、ＬＥＤモジュール再接続時に「出力コンデンサ１０の電圧が高いため、ＬＥＤモジュール３に流れるＬＥＤ電流Ｉが０．５Ａ以上流れ出すと、電流検出抵抗１４の電圧とＮＰＮトランジスタ１７ｂのベース・エミッタ電圧Ｖｂｅが０．７Ｖに達し、ＮＰＮトランジスタ１７ｂにベース電流が流れ、電流検出抵抗１４の電圧が０．７Ｖで一定となるようＮＰＮトランジスタ１７ｂのベース電流がコントロールされ、したがって、ＬＥＤモジュール３に流れるＬＥＤ電流Ｉ（ＬＥＤ）は０．７Ａ（第二の閾値）で制限され」ることを対比する。
ア　先願発明の「電流制限回路１７」が本願発明の「スイッチモジュール」に相当し、以下同様に、「ＮＰＮトランジスタ１７ｂ」の「エミッタ端子」が「スイッチモジュール」の「第２端」に、「ＮＰＮトランジスタ１７ａのエミッタ端子」と「ＮＰＮトランジスタ１７ｂのベース端子」の接続部が「スイッチモジュール」の「第３端」に、「ＬＥＤモジュール３のカソード側に接続され」る「ＮＰＮトランジスタ１７ａ」の「コレクタ端子」が「スイッチモジュール」の「ＬＥＤ負荷の陰極に接続される第１端」に、それぞれ相当する。
イ　先願発明は、「ＤＣ−ＤＣコンバータ回路５」の「出力コンデンサ１０の２次側整流ダイオード９に接続されない端子」が「共通電位に接続され」ていること、「ＬＥＤモジュール３の陽極側」が「ＤＣ−ＤＣコンバータ５の出力」に接続されていることを踏まえると、先願発明の「その一端が電流制限回路１７のＮＰＮトランジスタ１７ａのエミッタ端子とＮＰＮトランジスタ１７ｂのベース端子に接続され、その他端が共通電位に接続され」る「電流検出抵抗１４」が本願発明の「前記スイッチモジュールの第３端に接続される第１端、及び前記スイッチモジュールの第２端に接続され、前記ＬＥＤ負荷の陽極と共に前記電源変換モジュールの出力端に接続される第２端を有する第１抵抗」に相当する。
ウ　本願発明の「前記ＬＥＤ負荷に流す電流を検出することにより過電流保護が実行されるべきかどうかを判断し、過電流保護が実行されるべきと判断される場合に、前記電流が前記ＬＥＤ負荷の最大動作電流を超えないように制限し、前記スイッチモジュールによって前記ＬＥＤ負荷の定格動作電流へと前記電流を徐々に減少させる」ことと、先願発明のＬＥＤモジュール再接続時に「出力コンデンサ１０の電圧が高いため、ＬＥＤモジュール３に流れるＬＥＤ電流Ｉが０．５Ａ以上流れ出すと、電流検出抵抗１４の電圧とＮＰＮトランジスタ１７ｂのベース・エミッタ電圧Ｖｂｅが０．７Ｖに達し、ＮＰＮトランジスタ１７ｂにベース電流が流れ、電流検出抵抗１４の電圧が０．７Ｖで一定となるようＮＰＮトランジスタ１７ｂのベース電流がコントロールされ、したがって、ＬＥＤモジュール３に流れるＬＥＤ電流Ｉ（ＬＥＤ）は０．７Ａ（第二の閾値）で制限され、ＬＥＤランプに過大な電流が流れることを防止でき、ＬＥＤランプの故障がなくなる」ことを対比する。
　先願発明は、「…、ＬＥＤモジュール３、電流制限回路１７、電流検出抵抗１４のループで電流が流れ…」ることを踏まえると、先願発明は「電流検出抵抗１４の電圧とＮＰＮトランジスタ１７ｂのベース・エミッタ電圧Ｖｂｅが０．７Ｖに達し、ＮＰＮトランジスタ１７ｂにベース電流が流れ」ることは、本願発明の「前記ＬＥＤ負荷に流す電流を検出することにより過電流保護が実行されるべきかどうかを判断」することに相当する。また、先願発明の「ＬＥＤモジュール３に流れるＬＥＤ電流Ｉ（ＬＥＤ）は０．７Ａ（第二の閾値）で制限され、ＬＥＤランプに過大な電流が流れることを防止でき、ＬＥＤランプの故障がなくなる」ことは、本願発明の「前記電流が前記ＬＥＤ負荷の最大動作電流を超えないように制限」することに相当する。さらに、先願発明は、ＬＥＤモジュール３に流れるＬＥＤ電流Ｉは０．７Ａ（第二の閾値）で制限されるところ、前記制限される電流値（第二の閾値）は、通常時のＬＥＤ電流より大きな値である。そうすると、電流を制限している状態から通常の状態に復帰する際、ＬＥＤモジュール３に流れるＬＥＤ電流Ｉは、前記制限される電流値（第二の閾値）から通常時のＬＥＤ電流値へと、徐々に減少するものと認められる。してみると、両者は相当関係にある。
エ　先願発明の「電流制限回路１７」と「電流検出抵抗１４」は、一体として、本願発明の「過電流保護回路」に相当する。
オ　本願発明の「第１端が前記スイッチモジュールの第１端に接続され、第２端が前記スイッチモジュールの第３端に接続され、第３端が第２抵抗を介して前記ＬＥＤ負荷の前記陽極に接続され、ＮＭＯＳＦＥＴである第１スイッチ」と、先願発明の「コレクタ端子がＬＥＤモジュール３のカソード側に接続され、ベース端子がベース抵抗１７ｃの一端とＮＰＮトランジスタ１７ｂのコレクタ端子に接続され、エミッタ端子が電流検出抵抗１４の一端とＮＰＮトランジスタ１７ｂのベース端子に接続され」る「ＮＰＮトランジスタ１７ａ」を対比する。上記アで検討したとおり、「ＮＰＮトランジスタ１７ａ」の「コレクタ端子」が「スイッチモジュール」の「ＬＥＤ負荷の陰極に接続される第１端」に相当することを踏まえると、後者の「コレクタ端子」が前者の「前記スイッチモジュールの第１端に接続され」る「第１端」に相当する。次に、上記アで検討したとおり、「ＮＰＮトランジスタ１７ａのエミッタ端子」と「ＮＰＮトランジスタ１７ｂのベース端子」の接続部が「スイッチモジュール」の「第３端」に相当することを踏まえると、後者の「エミッタ端子」が前者の「第２端」に相当する。そして、先願発明は「前記ベース抵抗１７ｃは、一端がＮＰＮトランジスタ１７ａのベース端子とＮＰＮトランジスタ１７ｂのコレクタ端子に接続され、他端がＬＥＤモジュール３の陽極側（ＤＣ−ＤＣコンバータ５の出力）に接続され」ことを踏まえると、後者の「ベース抵抗１７ｃ」が前者の「第２抵抗」に相当し、後者の「ベース端子」が前者の「第３端」に相当する。してみると、両者は、「第１端が前記スイッチモジュールの第１端に接続され、第２端が前記スイッチモジュールの第３端に接続され、第３端が第２抵抗を介して前記ＬＥＤ負荷の前記陽極に接続され」る「第１スイッチ」である点で一致する。
カ　本願発明の「第１端が前記第２抵抗及び前記第１スイッチの第３端に接続され、第２端が前記スイッチモジュールの第２端に接続され、第３端が前記スイッチモジュールの第３端に接続され、ＮＰＮトランジスタである第２スイッチ」と、先願発明の「コレクタ端子がベース抵抗１７ｃの一端とＮＰＮトランジスタ１７ａのベース端子に接続され、ベース端子が電流検出抵抗１４の一端とＮＰＮトランジスタ１７ａのエミッタ端子に接続され、エミッタ端子が電流検出抵抗１４の他端に接続され」る「ＮＰＮトランジスタ１７ｂ」を対比する。
　後者の「ＮＰＮトランジスタ１７ｂ」が前者の「ＮＰＮトランジスタである第２スイッチ」に相当し、後者の「ベース抵抗１７ｃの一端とＮＰＮトランジスタ１７ａのベース端子に接続され」る「コレクタ端子」が前者の「前記第２抵抗及び前記第１スイッチの第３端に接続され」る「第１端」に相当する。また、上記アで検討したとおり、「ＮＰＮトランジスタ１７ｂ」の「エミッタ端子」が「スイッチモジュール」の「第２端」に相当することを踏まえると、後者の「エミッタ端子」が前者の「前記スイッチモジュールの第２端に接続され」る「第２端」に相当する。そして、上記アで検討したとおり、「ＮＰＮトランジスタ１７ａのエミッタ端子」と「ＮＰＮトランジスタ１７ｂのベース端子」の接続部が「スイッチモジュール」の「第３端」に相当することを踏まえると、後者の「ベース端子」が前者の「第３端」に相当する。してみると、両者は相当関係にある。
キ　先願発明の「ＮＰＮトランジスタ１７ａ」と「ＮＰＮトランジスタ１７ｂ」は、一体として、本願発明の「ダブルスイッチ相互制御回路」に相当する。
ク　以上によれば、両者は、「第２端、第３端、及びＬＥＤ負荷の陰極に接続される第１端を有するスイッチモジュール、並びに、前記スイッチモジュールの第３端に接続される第１端、及び前記スイッチモジュールの第２端に接続され、前記ＬＥＤ負荷の陽極と共に前記電源変換モジュールの出力端に接続される第２端を有する第１抵抗を含み、前記ＬＥＤ負荷に流す電流を検出することにより過電流保護が実行されるべきかどうかを判断し、過電流保護が実行されるべきと判断される場合に、前記電流が前記ＬＥＤ負荷の最大動作電流を超えないように制限し、前記スイッチモジュールによって前記ＬＥＤ負荷の定格動作電流へと前記電流を徐々に減少させる過電流保護回路」であって、「前記スイッチモジュールは、第１端が前記スイッチモジュールの第１端に接続され、第２端が前記スイッチモジュールの第３端に接続され、第３端が第２抵抗を介して前記ＬＥＤ負荷の前記陽極に接続される第１スイッチと、第１端が前記第２抵抗及び前記第１スイッチの第３端に接続され、第２端が前記スイッチモジュールの第２端に接続され、第３端が前記スイッチモジュールの第３端に接続され、ＮＰＮトランジスタである第２スイッチとを含むダブルスイッチ相互制御回路であること」の点で一致する。
　
（３）本願発明の「前記直流電圧が過電圧であるかどうかを検出し、過電圧である場合に前記制御信号を出力して、前記制御信号によってＬＥＤ負荷に対して過電圧保護を行うための過電圧保護回路」と、先願発明の「ＤＣ−ＤＣコンバータ回路５の出力電圧を入力し、出力電圧が目標値となるように誤差電圧をダイオード２３−１に出力」する「電圧制御回路２１」であって、「ＬＥＤモジュール切り離し時に、ＬＥＤ電源装置とＬＥＤモジュール３が切り離されると、…、出力コンデンサ１０の電圧は電圧制御回路２１の設定電圧（ＬＥＤモジュール３に通常電流が流れているときの出力電圧より高い電圧値）まで上昇し、その電圧で固定（電圧リミッタ）される」ことを対比する。
ア　先願発明の「ＤＣ−ＤＣコンバータ回路５の出力電圧」が本願発明の「直流電圧」に相当し、以下同様に、「誤差電圧」が「制御信号」に、「電圧制御回路２１の設定電圧（ＬＥＤモジュール３に通常電流が流れているときの出力電圧より高い電圧値）まで上昇し、その電圧で固定（電圧リミッタ）される」ことは「ＬＥＤ負荷に対して過電圧保護を行う」ことに相当する。
イ　先願明細書等には、「【００３１】…図９を参照して実施の形態３のＬＥＤ電源装置２−３を説明する。実施の形態３は、実施の形態１に対してＬＥＤ電源装置２−３の構成が異なるものであるが、基本的な動作は実施の形態２と同様である。…図９は、実施の形態３のＬＥＤ電源装置２−３を示す構成図である。
実施の形態２の図７に対して、基準電圧発生回路２６を追加した。それ以外は、図７と同様である
出力コンデンサ１０の電圧を抵抗２１ｂと抵抗２１ｃで分圧した電圧値と誤差増幅器２１ａで比較され、誤差増幅器２１ａの出力端子から誤差電圧を出力する
ウ　以上によれば、両者は、相当関係にある。
　
（４）本願発明の「ＬＥＤ駆動回路」と、先願発明の「ＬＥＤ電源装置」を対比すると、両者は相当関係にある。
　
（５）してみると、本願発明と先願発明は、
「入力電圧を受信するための入力端、出力端、及び制御信号を受信するための制御端を有し、前記入力電圧及び前記制御信号に応じて、電流が一定で電圧が調節可能である直流電圧を前記出力端から出力する電源変換モジュールと、
　第２端、第３端、及びＬＥＤ負荷の陰極に接続される第１端を有するスイッチモジュール、並びに、前記スイッチモジュールの第３端に接続される第１端、及び前記スイッチモジュールの第２端に接続され、前記ＬＥＤ負荷の陽極と共に前記電源変換モジュールの出力端に接続される第２端を有する第１抵抗を含み、前記ＬＥＤ負荷に流す電流を検出することにより過電流保護が実行されるべきかどうかを判断し、過電流保護が実行されるべきと判断される場合に、前記電流が前記ＬＥＤ負荷の最大動作電流を超えないように制限し、前記スイッチモジュールによって前記ＬＥＤ負荷の定格動作電流へと前記電流を徐々に減少させる過電流保護回路と、
　前記直流電圧が過電圧であるかどうかを検出し、過電圧である場合に前記制御信号を出力して、前記制御信号によってＬＥＤ負荷に対して過電圧保護を行うための過電圧保護回路と
　を備え、
　前記スイッチモジュールは、
　第１端が前記スイッチモジュールの第１端に接続され、第２端が前記スイッチモジュールの第３端に接続され、第３端が第２抵抗を介して前記ＬＥＤ負荷の前記陽極に接続される第１スイッチと、
　第１端が前記第２抵抗及び前記第１スイッチの第３端に接続され、第２端が前記スイッチモジュールの第２端に接続され、第３端が前記スイッチモジュールの第３端に接続され、ＮＰＮトランジスタである第２スイッチと
　を含むダブルスイッチ相互制御回路であることを特徴とするＬＥＤ駆動回路。」
の点で一致し、以下の点で一応相違する。
　
相違点１：電源変換モジュールは、本願発明では、「制御信号によって電源変換モジュール内部のデューティー比信号の調節を制御」し、「前記入力電圧及び前記制御信号に応じて、…直流電圧を前記出力端から出力する」のに対し、先願発明では、ＤＣ−ＤＣコンバータ回路５の「制御回路８のＦＢ端子にはフォトカプラ１６から誤差電圧が帰還され」、「制御回路８のＯＵＴ端子から高周波の信号が出力され、スイッチング素子７のＯＮ／ＯＦＦにより整流回路４の出力電圧からトランス６の１次巻き線６ａに供給された電圧は高周波電流となって２次側巻き線６ｂに伝達され、トランス６の２次巻き線６ｂから出力された電圧は２次側整流ダイオード９により直流に整流され、整流された直流電圧は出力コンデンサ１０により、リップル成分の少ない直流電圧に平滑され、この平滑された直流電圧」をＤＣ−ＤＣコンバータ回路５が出力するものの、「電源変換モジュール内部のデューティー比信号の調節を制御」するものなのか否か、明らかでない点。
相違点２：第１スイッチが、本願発明では「ＮＭＯＳＦＥＴ」であるのに対し、先願発明では、「ＮＰＮトランジスタ」である点。
　
４　判断
（１）相違点１について
　一般に、トランス、スイッチング素子、制御回路、整流ダイオード、出力コンデンサ等から構成されるＤＣ−ＤＣコンバータは、スイッチング素子のＯＮ、ＯＦＦする期間の比（デューティ比）を調節することで出力電圧を調整するものであることは、例えば、特開平９−８２４８０号公報（【００２８】〜【００３２】、図１。一般的な他励式ＤＣ−ＤＣコンバータで構成されるランプ電力供給手段１００を参照。）、あるいは、特開２００６−２１０８３５号公報（ＤＣ−ＤＣコンバータ２及びその説明箇所参照。）に記載されるように技術常識である。
　先願発明のＤＣ−ＤＣコンバータ回路５は、制御回路８に誤差電圧を入力し、制御回路８は高周波の信号を出力し、スイッチング素子７をＯＮ／ＯＦＦし、出力電圧を調整してＬＥＤ電流Ｉが一定となるように制御しているところ、上記技術常識を踏まえれば、先願発明は、ＤＣ−ＤＣコンバータ内部のデューティ比信号の調節を制御しているものと解される。してみると、先願発明は、上記相違点１に係る本願発明の特定事項を実質的に備えるものである。よって、相違点１は実質的な相違点ではない。
（２）相違点２について
　スイッチング素子として、ＮＭＯＳＦＥＴとＮＰＮトランジスタは、何れも周知（例えば、当審拒絶理由で引用した特表２００８−５０９５２３号公報の【００７８】の記載、図７Ｃ参照）であり、ＮＭＯＳＦＥＴを用いることは、課題解決のための具体化手段における微差に過ぎない。よって、相違点２は実質的な相違点ではない。
　
５　小括
　以上のとおり、相違点１、２は何れも実質的な相違点ではないから、本願発明は、先願明細書等に記載された発明と同一であり、しかも、本願発明の発明者が先願明細書等に記載された発明の発明者と同一であるとも、また、本願の出願時に、その出願人が先願の出願人と同一であるとも認められないので、本願発明は、特許法第２９条の２の規定により特許を受けることができない。
　
第５　特許法第２９条第２項について
１　刊行物の記載事項
　刊行物には、図と共に、以下の記載がある。
（１）特許請求の範囲の記載
「【請求項１】
　電流フィードバック制御回路と、電圧フィードバック制御回路と、
　前記電流フィードバック制御回路からの信号と前記電圧フィードバック制御回路からの信号を選択するフィードバック信号選択回路を有する電源ユニットと、
　少なくとも１つのＬＥＤからなるＬＥＤユニットと、
　前記ＬＥＤユニットを前記電源ユニットから取り外し前記電源ユニットに再接続するときに前記ＬＥＤユニットに過電流が流れることを防止する過電流保護ユニットと、を有することを特徴とするＬＥＤ照明システム。
【請求項２】
　前記過電流保護ユニットは、前記ＬＥＤユニットに定電流を供給することを特徴とする請求項１記載のＬＥＤ照明システム。
【請求項３】
　前記定電流は、前記電流フィードバック制御回路が前記ＬＥＤユニットに流そうとする電流以上であることを特徴とする請求項２記載のＬＥＤ照明システム。
…
【請求項５】
　前記過電流保護ユニットは、前記電源ユニットと一体化していることを特徴とする請求項１〜３のいずれか１項に記載のＬＥＤ照明システム。」
　
（２）背景技術の記載
「【０００２】
　従来、ＬＥＤ（Ｌｉｇｈｔ　Ｅｍｉｔｔｉｎｇ　Ｄｉｏｄｅ）を発光させるＬＥＤ照明システムでは、ＬＥＤに一定の直流電流を流して点灯させる定電流制御が行われている。このようなＬＥＤ照明システムにおいて、負荷となるＬＥＤは、１個あるいは複数直列に接続されたＬＥＤユニットが用いられる。そのため、ＬＥＤに発光用の電流を供給する照明用電源ユニットは、ＬＥＤ負荷に流れる負荷電流を検出し、負荷となるＬＥＤの数や、ＬＥＤの順方向電圧のバラツキに関わらず、
発光に適した一定の直流電流をＬＥＤに流すべく出力電圧を調節する定電流制御を行う
　
（３）発明が解決しようとする課題の記載
「【０００４】
　しかしながら、負荷であるＬＥＤユニットを動作中に電源ユニットから外すときや再接続するとき、ＬＥＤユニットの接続端子で電源ユニットの接続端子の接触不良などによるチャタリングによってＬＥＤユニットにスパイク状の大電流が流れてしまう可能性がある。そして、この大電流によりＬＥＤユニットの破壊や劣化を招く可能性があるという問題点がある。
【０００５】
　本発明の目的は、上記の課題に鑑み、ＬＥＤユニットの電源ユニットとの脱着の際に、過大な電流が流れることを抑制することができるＬＥＤ照明システムを提供することにある。」
　
（４）発明の効果の記載
「【０００７】
　本発明によれば、ＬＥＤユニットの電源ユニットとの脱着の際に、過大な電流が流れることを抑制することができるＬＥＤ照明システムを提供することができる。」
　
（５）発明を実施するための形態の記載
「【０００９】
　以下に、本発明の好適な実施形態（実施例）を添付図面に基づいて説明する。
【００１０】
　図１は、本発明の本実施形態に係るＬＥＤ照明システムを示すブロック図である。ＬＥＤ照明システム１０は、電源ユニット１１と、少なくとも１つのＬＥＤ１２ａからなるＬＥＤユニット１２と、ＬＥＤユニット１２を電源ユニット１１から取り外し電源ユニット１１に再接続するときにＬＥＤユニット１２に過電流が流れることを防止する過電流保護ユニット１３と、を有している。そして、過電流保護ユニット１３は、ＬＥＤユニット１２と一体化している。
【００１１】
　
電源ユニット１１は、電源部１４、制御部１５、例えば商用の交流電圧Ｖａｃを受電する入力端子１６，１７、ＬＥＤユニット１２が接続される接続端子１８，１９、抵抗Ｒ１（電流検知部）、抵抗Ｒ２（電圧検知部）、抵抗Ｒ３を備えて構成されている
【００１２】
　
電源部１４は、入力端子１６，１７で受電された交流電圧Ｖａｃを整流するダイオードブリッジＤＢ１と、トランスＴ１の一次巻線ｎ１とトランジスタＴｒ１との直列回路と、トランスＴ１の二次巻線ｎ２の一端にアノードが接続され、カソードが接続端子１８に接続されたダイオードＤ１と、ダイオードＤ１のカソードと二次巻線ｎ２の他端との間に接続された平滑用のコンデンサＣ１とを備え
二次巻線ｎ２の他端は、抵抗Ｒ１を介して接続端子１９に接続され
抵抗Ｒ２，Ｒ３がコンデンサＣ１に並列に接続され
トランジスタＴｒ１が、制御部１５からの制御信号に応じてオンオフすることで、当該制御信号のパルス幅に応じた出力電圧を、接続端子１８，１９を介してＬＥＤユニット１２に印加する
【００１３】
　なお、電源部１４は、例えば電池等の直流電圧源から供給された直流電力に基づき、ＬＥＤユニット１２の発光用の電力を生成するように構成されていてもよい。また、電源の方式としてはトランスを介した絶縁型の構成を示しているが、電源部１４の絶縁性や回路方式は特に限定するものではない。
【００１４】
　そして、電源部１４の出力電圧によりＬＥＤユニット１２に流れる負荷電流ＩＬは、抵抗Ｒ１を流れるので、抵抗Ｒ１による電圧降下すなわち検知電圧ＶＲ１は、負荷電流ＩＬに応じた電圧となる。また、抵抗Ｒ２による検知電圧ＶＲ２を、制御部に送ることにより、その検知電圧ＶＲ２を電圧フィードバック制御用の電圧とすることができる。
【００１５】
　
制御部１５は、電流フィードバック制御回路２０と、電圧フィードバック制御回路２１と、電流フィードバック制御回路２０からの信号と電圧フィードバック制御回路２１からの信号を選択するフィードバック信号選択回路２２を有
【００１６】
　
電流フィードバック制御回路２０は、コンデンサＣ２が接続された誤差増幅器２３を備え、抵抗Ｒ１による検知電圧ＶＲ１と第１の基準電圧Ｖ１０との差電圧Ｖ１をフィードバック信号選択回路２２のＰＷＭコンパレータ２４に出力
【００１７】
　
電圧フィードバック制御回路２１は、コンデンサＣ３が接続された誤差増幅器２５を備え、抵抗Ｒ２による検知電圧ＶＲ２と第２の基準電圧Ｖ２０との差電圧Ｖ２をフィードバック信号選択回路２２のＰＷＭコンパレータ２４に出力
【００１８】
　
フィードバック信号選択回路２２のＰＷＭコンパレータ２４は、電流フィードバック制御回路２０から入力された差電圧Ｖ１と電圧フィードバック制御回路２１から入力された差電圧Ｖ２を比較し、それらのうち低い方の信号が、三角波生成部２６から発生され反転端子に入力される三角波以上のときにＨレベル、三角波未満のときにＬレベルとなるパルスをトランジスタＴｒ１に出力する。トランジスタＴｒ１は、そのパルスによりオンオフする。それによって電源部１４の出力電圧を調節する
【００１９】
　
ＬＥＤユニット１２は、電源ユニット１１に接続端子１８，１９で接続され
ＬＥＤユニット１２は、複数のＬＥＤ１２ａが直列に接続され
【００２０】
　過電流保護ユニット１３は、図２に示すようにして駆動する。
過電流保護ユニット１３に流れる電流は、Ａ点３１からＢ点３７の方向へ流れ
先ず、Ａ点３１からＢ点３７へ向かって流れる電流は、トランジスタＴｒ２がオフ状態になっているため、抵抗Ｒ４を通ってトランジスタＴｒ３のコレクタ側に流れ
このとき、トランジスタＴｒ３がオフ状態であるからトランジスタＴｒ２のベース電極側に流れ
トランジスタＴｒ２がオン状態とな
Ａ点３１からＢ点３７に流れる電流は、トランジスタＴｒ２を通り、抵抗Ｒ５へ流れてＢ点３７に至
【００２１】
　
上述した経路を通って流れた電流は、抵抗Ｒ５の設定された電圧降下を越えると抵抗Ｒ５に流れていた電流はトランジスタＴｒ３のベース電極側に流れ、トランジスタＴｒ３がオン状態にな
、トランジスタＴｒ２のベース電極側に流れていた電流は、トランジスタＴｒ３のコレクタ電極側からエミッタ電極側に流れるため、トランジスタＴｒ２のベース電極からエミッタ電極に流れる電流は小さくな
【００２２】
　このため、抵抗Ｒ５の電圧降下は設定値より低くなる。
この結果、トランジスタＴｒ３のコレクタ電極からエミッタ電極に流れる電流は小さくなり、トランジスタＴｒ２のベース電極からエミッタ電極に流れる電流は大きくなる。このような一連の動作を繰り返すことによってＢ点３７から流れる電流を一定にする
過電流保護ユニット１３による定電流値は、電流フィードバック制御回路２０がＬＥＤユニット１２に流そうとする所望の電流値以上に設定され
【００２３】
　次に、上述のように構成されたＬＥＤ照明システムの動作について説明する。まず、
接続端子１８，１９にＬＥＤユニット１２が接続された状態では、負荷電流ＩＬが抵抗Ｒ１を流れて検知電圧ＶＲが制御部１５に送られ
誤差増幅器２３から出力される差電圧Ｖ１の方が誤差増幅器２５から出力される差電圧Ｖ２よりも低くＰＷＭコンパレータ２４では、誤差増幅器２３から出力される差電圧Ｖ１と三角波生成部２６から発生される三角波によってＰＷＭ信号が形成され、それにより、端子１８，１９からの出力電圧が制御され
【００２４】
　ＬＥＤユニット１２の脱着の瞬間は、チャタリングが生じても過電流保護ユニット１３により、ＬＥＤユニット１２への過電流が防止される。
【００２５】
　
ＬＥＤユニット１２が再接続されるまでの間は、抵抗Ｒ２の電圧により誤差増幅器２５からの差電圧Ｖ２の方が低くなり、ＰＷＭコンパレータ２４では、この差電圧Ｖ２と三角波によりＰＷＭ信号を発生し、フィードバック制御が行われる。それにより、電源ユニットの破壊を防止するとともに、再接続されるＬＥＤユニットが再点灯できるように所定の電圧を出し続ける
【００２６】
　これにより、点灯中であっても、安全にＬＥＤユニットの電源ユニットからの脱着と再点灯とが可能となり、かつ、安価で高効率なＬＥＤ照明システムを提供することができる。」
　
（５）過電流保護ユニットの構成例の記載
「【００３４】
　図６に示す過電流保護ユニット１３−５は、ＬＥＤ１２ｂと直列に接続したＦＥＴ５２とそのＦＥＴ５２のゲート端子に接続した抵抗Ｒ１２によって構成されている。これは、ＦＥＴ５２は、所定の電圧以上では、ソース−ドレイン間を流れる電流が一定になる性質を利用している。本構成例の過電流保護ユニット１３−５は、ＬＥＤ１２ｂに流れる定電流からＦＥＴ５２のドレイン電流を減じた定電流をＬＥＤユニットに供給することができる。また、図２の過電流保護ユニット１３に比べ、定電流値の温度補償が容易である。」
　
（６）過電流保護ユニット１３を電源ユニット１１と一体化する記載
「【００３５】
　なお、本実施形態では、過電流保護ユニット１３をＬＥＤユニット１２と一体化するような構成を示して説明したが、それに限らず、
過電流保護ユニット１３を電源ユニット１１と一体化
図１の
端子１９と端子１０１の間に直列に過電流保護ユニット１３を接続する
構成
　
（７）図１は以下のとおりである。
　
２　引用発明
　上記１（６）の記載には、「過電流保護ユニット１３を電源ユニット１１と一体化するようにしてもよい。すなわち、…端子１９と端子１０１の間に直列に過電流保護ユニット１３を接続するような構成とすることもできる。」との記載がある。そこで、端子１９と端子１０１の間に直列に過電流保護ユニット１３を接続し、過電流保護ユニット１３を一体化した電源ユニット１１に基づいて引用発明を認定する。
（１）上記１（５）【００１１】によれば、電源部１４、制御部１５、例えば商用の交流電圧Ｖａｃを受電する入力端子１６，１７、ＬＥＤユニット１２が接続される接続端子１８，１９、抵抗Ｒ１（電流検知部）、抵抗Ｒ２（電圧検知部）、抵抗Ｒ３を備えて構成される電源ユニット１１が記載されている。
　また、上記１（６）によれば、過電流保護ユニット１３は、電源ユニット１１と一体化されるから、電源ユニット１１は、過電流保護ユニット１３を備えることが記載されている。
　してみると、刊行物には、電源部１４、制御部１５、例えば商用の交流電圧Ｖａｃを受電する入力端子１６，１７、ＬＥＤユニット１２が接続される接続端子１８，１９、抵抗Ｒ１（電流検知部）、抵抗Ｒ２（電圧検知部）、抵抗Ｒ３、過電流保護ユニット１３を備えて構成される電源ユニット１１が開示されている。
　
（２）上記１（５）【００１２】によれば、 電源部１４は、入力端子１６，１７で受電された交流電圧Ｖａｃを整流するダイオードブリッジＤＢ１と、トランスＴ１の一次巻線ｎ１とトランジスタＴｒ１との直列回路と、トランスＴ１の二次巻線ｎ２の一端にアノードが接続され、カソードが接続端子１８に接続されたダイオードＤ１と、ダイオードＤ１のカソードと二次巻線ｎ２の他端との間に接続された平滑用のコンデンサＣ１とを備え、二次巻線ｎ２の他端は、抵抗Ｒ１を介して接続端子１９に接続され、抵抗Ｒ２，Ｒ３がコンデンサＣ１に並列に接続され、トランジスタＴｒ１が、制御部１５からの制御信号に応じてオンオフすることで、当該制御信号のパルス幅に応じた出力電圧を、接続端子１８，１９を介してＬＥＤユニット１２に印加することが開示されている。
　
（３）上記１（５）【００１５】乃至【００１８】によれば、
　制御部１５は、電流フィードバック制御回路２０と、電圧フィードバック制御回路２１と、電流フィードバック制御回路２０からの信号と電圧フィードバック制御回路２１からの信号を選択するフィードバック信号選択回路２２を有し、
　電流フィードバック制御回路２０は、コンデンサＣ２が接続された誤差増幅器２３を備え、抵抗Ｒ１による検知電圧ＶＲ１と第１の基準電圧Ｖ１０との差電圧Ｖ１をフィードバック信号選択回路２２のＰＷＭコンパレータ２４に出力し、
　電圧フィードバック制御回路２１は、コンデンサＣ３が接続された誤差増幅器２５を備え、抵抗Ｒ２による検知電圧ＶＲ２と第２の基準電圧Ｖ２０との差電圧Ｖ２をフィードバック信号選択回路２２のＰＷＭコンパレータ２４に出力し、
　フィードバック信号選択回路２２のＰＷＭコンパレータ２４は、電流フィードバック制御回路２０から入力された差電圧Ｖ１と電圧フィードバック制御回路２１から入力された差電圧Ｖ２を比較し、それらのうち低い方の信号が、三角波生成部２６から発生され反転端子に入力される三角波以上のときにＨレベル、三角波未満のときにＬレベルとなるパルスをトランジスタＴｒ１に出力し、電源部１４のトランジスタＴｒ１が、そのパルスによりオンオフして電源部１４の出力電圧を調節すること、
が記載されている。
　
（４）上記１（５）【００１９】によれば、電源ユニットが備える接続端子１８，１９は、複数のＬＥＤ１２ａが直列に接続されたＬＥＤユニット１２が接続される端子であることが記載されている。
　
（５）上記１（６）【００３５】と図１によれば、過電流保護ユニット１３は、端子１９と抵抗Ｒ１の間に直列に接続される。そして、上記１（５）【００２０】乃至【００２２】を踏まえて図１を見ると、過電流保護ユニット１３は、高電位側の端子（以下「Ａ点」という場合がある。）と低電位側の端子（以下「Ｂ点」という場合がある。）の間に、ＮＰＮトランジスタＴｒ２、Ｔｒ３、抵抗Ｒ４、抵抗Ｒ５を備えて構成され、
　高電位側の端子は、トランジスタＴｒ２のコレクタ電極と抵抗Ｒ４の一端に接続され、
　トランジスタＴｒ２は、コレクタ電極が高電位側の端子に、ベース電極が抵抗Ｒ４の他端とトランジスタＴｒ３のコレクタ電極に、エミッタ電極がトランジスタＴｒ３のベース電極と抵抗Ｒ５の一端に、それぞれ接続され、
　抵抗Ｒ４は、一端が高電位側の端子とトランジスタＴｒ２のコレクタ電極に接続され、
　トランジスタＴｒ３は、コレクタ電極が抵抗Ｒ４の他端とトランシスタＴｒ２のベース電極に、ベース電極がトランジスタＴｒ２のエミッタ電極と抵抗Ｒ５の一端に、エミッタ電極が抵抗Ｒ５の他端と低電位側の端子に、それぞれ接続され、
　抵抗Ｒ５は、一端がトランジスタＴｒ２のエミッタ端子とトランジスタＴｒ３のベース端子に、他端がトランジスタＴｒ３のエミッタ端子と低電位側の端子に接続され、
　低電位側の端子は、トランジスタＴｒ３のエミッタ端子と抵抗Ｒ５の他端に接続され、過電流保護ユニット１３は、以下のとおり動作する。
　過電流保護ユニット１３のＡ点からＢ点へ向かって流れる電流は、先ず、トランジスタＴｒ２がオフ状態になっているため、抵抗Ｒ４を通ってトランジスタＴｒ３のコレクタ側に流れ、このとき、トランジスタＴｒ３がオフ状態であるからトランジスタＴｒ２のベース電極側に流れ、トランジスタＴｒ２がオン状態となり、Ａ点からＢ点に流れる電流は、トランジスタＴｒ２を通り、抵抗Ｒ５へ流れてＢ点に至り、
　前述した経路を通って流れた電流は、抵抗Ｒ５の設定された電圧降下を越えると抵抗Ｒ５に流れていた電流はトランジスタＴｒ３のベース電極側に流れ、トランジスタＴｒ３がオン状態になり、トランジスタＴｒ２のベース電極側に流れていた電流は、トランジスタＴｒ３のコレクタ電極側からエミッタ電極側に流れるため、トランジスタＴｒ２のベース電極からエミッタ電極に流れる電流は小さくなり、抵抗Ｒ５の電圧降下は設定値より低くなり、この結果、トランジスタＴｒ３のコレクタ電極からエミッタ電極に流れる電流は小さくなり、トランジスタＴｒ２のベース電極からエミッタ電極に流れる電流は大きくなり、このような一連の動作を繰り返すことによってＢ点から流れる電流が一定になる。ここで、過電流保護ユニット１３による定電流値は、電流フィードバック制御回路２０がＬＥＤユニット１２に流そうとする所望の電流値以上に設定される。
　
（６）上記１（５）【００２３】乃至【００２６】によれば、電源ユニット１１は、ＬＥＤユニット１２が着脱されたときに、以下のとおり動作する。
　接続端子１８，１９にＬＥＤユニット１２が接続された状態では、負荷電流ＩＬが抵抗Ｒ１を流れて検知電圧ＶＲが制御部１５に送られ、誤差増幅器２３から出力される差電圧Ｖ１の方が誤差増幅器２５から出力される差電圧Ｖ２よりも低くＰＷＭコンパレータ２４では、誤差増幅器２３から出力される差電圧Ｖ１と三角波生成部２６から発生される三角波によってＰＷＭ信号が形成され、それにより、端子１８，１９からの出力電圧が制御され、
　ＬＥＤユニット１２が再接続されるまでの間は、抵抗Ｒ２の電圧により誤差増幅器２５からの差電圧Ｖ２の方が低くなり、ＰＷＭコンパレータ２４では、この差電圧Ｖ２と三角波によりＰＷＭ信号を発生し、フィードバック制御が行われ、電源ユニットの破壊を防止するとともに、再接続されるＬＥＤユニットが再点灯できるように所定の電圧を出し続ける。
　
（７）上記１（２）の記載によれば、ＬＥＤユニットが接続される電源ユニット１１は、「発光に適した一定の直流電流をＬＥＤに流すべく出力電圧を調節する定電流制御を行う」ものである。
　
（８）上記（１）乃至（７）によれば、刊行物には、
「電源部１４、制御部１５、例えば商用の交流電圧Ｖａｃを受電する入力端子１６，１７、ＬＥＤユニット１２が接続される接続端子１８，１９、抵抗Ｒ１（電流検知部）、抵抗Ｒ２（電圧検知部）、抵抗Ｒ３、過電流保護ユニット１３を備えて構成され、発光に適した一定の直流電流をＬＥＤに流すべく出力電圧を調節する定電流制御を行う電源ユニット１１であって、
　電源部１４は、入力端子１６，１７で受電された交流電圧Ｖａｃを整流するダイオードブリッジＤＢ１と、トランスＴ１の一次巻線ｎ１とトランジスタＴｒ１との直列回路と、トランスＴ１の二次巻線ｎ２の一端にアノードが接続され、カソードが接続端子１８に接続されたダイオードＤ１と、ダイオードＤ１のカソードと二次巻線ｎ２の他端との間に接続された平滑用のコンデンサＣ１とを備え、二次巻線ｎ２の他端は、抵抗Ｒ１を介して接続端子１９に接続され、抵抗Ｒ２，Ｒ３がコンデンサＣ１に並列に接続され、トランジスタＴｒ１が、制御部１５からの制御信号に応じてオンオフすることで、当該制御信号のパルス幅に応じた出力電圧を、接続端子１８，１９を介してＬＥＤユニット１２に印加し、
　制御部１５は、電流フィードバック制御回路２０と、電圧フィードバック制御回路２１と、電流フィードバック制御回路２０からの信号と電圧フィードバック制御回路２１からの信号を選択するフィードバック信号選択回路２２を有し、
　電流フィードバック制御回路２０は、コンデンサＣ２が接続された誤差増幅器２３を備え、抵抗Ｒ１による検知電圧ＶＲ１と第１の基準電圧Ｖ１０との差電圧Ｖ１をフィードバック信号選択回路２２のＰＷＭコンパレータ２４に出力し、
　電圧フィードバック制御回路２１は、コンデンサＣ３が接続された誤差増幅器２５を備え、抵抗Ｒ２による検知電圧ＶＲ２と第２の基準電圧Ｖ２０との差電圧Ｖ２をフィードバック信号選択回路２２のＰＷＭコンパレータ２４に出力し、
　フィードバック信号選択回路２２のＰＷＭコンパレータ２４は、電流フィードバック制御回路２０から入力された差電圧Ｖ１と電圧フィードバック制御回路２１から入力された差電圧Ｖ２を比較し、それらのうち低い方の信号が、三角波生成部２６から発生され反転端子に入力される三角波以上のときにＨレベル、三角波未満のときにＬレベルとなるパルスをトランジスタＴｒ１に出力し、電源部１４のトランジスタＴｒ１が、そのパルスによりオンオフして電源部１４の出力電圧を調節し、
　電源ユニットが備える接続端子１８，１９は、複数のＬＥＤ１２ａが直列に接続されたＬＥＤユニット１２が接続される端子であり、
　過電流保護ユニット１３は、高電位側の端子（以下「Ａ点」という場合がある。）と低電位側の端子（以下「Ｂ点」という場合がある。）の間に、ＮＰＮトランジスタＴｒ２、Ｔｒ３、抵抗Ｒ４、抵抗Ｒ５を備えて構成され、端子１９と抵抗Ｒ１の間に直列に接続され、
　高電位側の端子は、トランジスタＴｒ２のコレクタ電極と抵抗Ｒ４の一端に接続され、
　トランジスタＴｒ２は、コレクタ電極が高電位側の端子に、ベース電極が抵抗Ｒ４の他端とトランジスタＴｒ３のコレクタ電極に、エミッタ電極がトランジスタＴｒ３のベース電極と抵抗Ｒ５の一端に、それぞれ接続され、
　抵抗Ｒ４は、一端が高電位側の端子とトランジスタＴｒ２のコレクタ電極に接続され、
　トランジスタＴｒ３は、コレクタ電極が抵抗Ｒ４の他端とトランシスタＴｒ２のベース電極に、ベース電極がトランジスタＴｒ２のエミッタ電極と抵抗Ｒ５の一端に、エミッタ電極が抵抗Ｒ５の他端と低電位側の端子に、それぞれ接続され、
　抵抗Ｒ５は、一端がトランジスタＴｒ２のエミッタ端子とトランジスタＴｒ３のベース端子に、他端がトランジスタＴｒ３のエミッタ端子と低電位側の端子に接続され、
　低電位側の端子は、トランジスタＴｒ３のエミッタ端子と抵抗Ｒ５の他端に接続され、
　過電流保護ユニット１３の動作と、ＬＥＤユニット１２が着脱されたときの電源ユニット１１の動作は以下のとおりである電源ユニット１１。
（過電流保護ユニット１３の動作）
　過電流保護ユニット１３のＡ点からＢ点へ向かって流れる電流は、先ず、トランジスタＴｒ２がオフ状態になっているため、抵抗Ｒ４を通ってトランジスタＴｒ３のコレクタ側に流れ、このとき、トランジスタＴｒ３がオフ状態であるからトランジスタＴｒ２のベース電極側に流れ、トランジスタＴｒ２がオン状態となり、Ａ点からＢ点に流れる電流は、トランジスタＴｒ２を通り、抵抗Ｒ５へ流れてＢ点に至り、
　前述した経路を通って流れた電流は、抵抗Ｒ５の設定された電圧降下を越えると抵抗Ｒ５に流れていた電流はトランジスタＴｒ３のベース電極側に流れ、トランジスタＴｒ３がオン状態になり、トランジスタＴｒ２のベース電極側に流れていた電流は、トランジスタＴｒ３のコレクタ電極側からエミッタ電極側に流れるため、トランジスタＴｒ２のベース電極からエミッタ電極に流れる電流は小さくなり、抵抗Ｒ５の電圧降下は設定値より低くなり、この結果、トランジスタＴｒ３のコレクタ電極からエミッタ電極に流れる電流は小さくなり、トランジスタＴｒ２のベース電極からエミッタ電極に流れる電流は大きくなり、このような一連の動作を繰り返すことによってＢ点から流れる電流が一定になり、ここで、過電流保護ユニット１３による定電流値は、電流フィードバック制御回路２０がＬＥＤユニット１２に流そうとする所望の電流値以上に設定される。
（ＬＥＤユニットが着脱されたときの電源ユニット１１の動作）
　接続端子１８，１９にＬＥＤユニット１２が接続された状態では、負荷電流ＩＬが抵抗Ｒ１を流れて検知電圧ＶＲが制御部１５に送られ、誤差増幅器２３から出力される差電圧Ｖ１の方が誤差増幅器２５から出力される差電圧Ｖ２よりも低くＰＷＭコンパレータ２４では、誤差増幅器２３から出力される差電圧Ｖ１と三角波生成部２６から発生される三角波によってＰＷＭ信号が形成され、それにより、端子１８，１９からの出力電圧が制御され、
　ＬＥＤユニット１２が再接続されるまでの間は、抵抗Ｒ２の電圧により誤差増幅器２５からの差電圧Ｖ２の方が低くなり、ＰＷＭコンパレータ２４では、この差電圧Ｖ２と三角波によりＰＷＭ信号を発生し、フィードバック制御が行われ、電源ユニットの破壊を防止するとともに、再接続されるＬＥＤユニットが再点灯できるように所定の電圧を出し続ける。」（以下「引用発明」という。）
　
３　対比
　本願発明と引用発明を対比する。
（１）本願発明の「入力電圧を受信するための入力端、出力端、及び制御信号を受信して当該制御信号によって電源変換モジュール内部のデューティー比信号の調節を制御するための制御端を有し、前記入力電圧及び前記制御信号に応じて、電流が一定で電圧が調節可能である直流電圧を前記出力端から出力する電源変換モジュール」と、引用発明の「発光に適した一定の直流電流をＬＥＤに流すべく出力電圧を調節する定電流制御を行う電源ユニット１１」を構成する「入力端子１６，１７で受電された交流電圧Ｖａｃを整流するダイオードブリッジＤＢ１と、トランスＴ１の一次巻線ｎ１とトランジスタＴｒ１との直列回路と、トランスＴ１の二次巻線ｎ２の一端にアノードが接続され、カソードが接続端子１８に接続されたダイオードＤ１と、ダイオードＤ１のカソードと二次巻線ｎ２の他端との間に接続された平滑用のコンデンサＣ１とを備え、二次巻線ｎ２の他端は、抵抗Ｒ１を介して接続端子１９に接続され、抵抗Ｒ２，Ｒ３がコンデンサＣ１に並列に接続され、トランジスタＴｒ１が、制御部１５からの制御信号に応じてオンオフすることで、当該制御信号のパルス幅に応じた出力電圧を、接続端子１８，１９を介してＬＥＤユニット１２に印加」する「電源部」と「電流フィードバック制御回路２０から入力された差電圧Ｖ１と電圧フィードバック制御回路２１から入力された差電圧Ｖ２を比較し、それらのうち低い方の信号が、三角波生成部２６から発生され反転端子に入力される三角波以上のときにＨレベル、三角波未満のときにＬレベルとなるパルスをトランジスタＴｒ１に出力し、電源部１４のトランジスタＴｒ１が、そのパルスによりオンオフして電源部１４の出力電圧を調節」する「フィードバック信号選択回路２２のＰＷＭコンパレータ２４」を一体として対比する。
　引用発明の「入力端子１６，１７」が本願発明の「入力電圧を受信するための入力端」に相当し、引用発明の「ダイオードＤ１」の「カソード」が本願発明の「出力端」に相当する。また、「フィードバック信号選択回路２２のＰＷＭコンパレータ２４」が「電圧フィードバック制御回路２１から」「差電圧Ｖ２」を入力する「フィードバック信号選択回路２２のＰＷＭコンパレータ２４」の端子が本願発明の「制御端」に相当する。
　そして、「信号が、三角波生成部２６から発生され反転端子に入力される三角波以上のときにＨレベル、三角波未満のときにＬレベルとなるパルスをトランジスタＴｒ１に出力し、電源部１４のトランジスタＴｒ１が、そのパルスによりオンオフして電源部１４の出力電圧を調節」することは、本願発明の「デューティー比信号の調節を制御する」ことに相当する。
　さらに、引用発明の「発光に適した一定の直流電流をＬＥＤに流すべく出力電圧を調節する定電流制御を行う」ことは、本願発明の「電流が一定で電圧が調節可能である直流電圧を前記出力端から出力する」ことに相当する。
　してみると、両者は相当関係にある。
　
（２）本願発明の「第２端、第３端、及びＬＥＤ負荷の陰極に接続される第１端を有するスイッチモジュール、並びに、前記スイッチモジュールの第３端に接続される第１端、及び前記スイッチモジュールの第２端に接続され、前記ＬＥＤ負荷の陽極と共に前記電源変換モジュールの出力端に接続される第２端を有する第１抵抗を含み、前記ＬＥＤ負荷に流す電流を検出することにより過電流保護が実行されるべきかどうかを判断し、過電流保護が実行されるべきと判断される場合に、前記電流が前記ＬＥＤ負荷の最大動作電流を超えないように制限し、前記スイッチモジュールによって前記ＬＥＤ負荷の定格動作電流へと前記電流を徐々に減少させる過電流保護回路」であって、「前記スイッチモジュールは、
　第１端が前記スイッチモジュールの第１端に接続され、第２端が前記スイッチモジュールの第３端に接続され、第３端が第２抵抗を介して前記ＬＥＤ負荷の前記陽極に接続され、ＮＭＯＳＦＥＴである第１スイッチと、
　第１端が前記第２抵抗及び前記第１スイッチの第３端に接続され、第２端が前記スイッチモジュールの第２端に接続され、第３端が前記スイッチモジュールの第３端に接続され、ＮＰＮトランジスタである第２スイッチと
　を含むダブルスイッチ相互制御回路である」過電流保護回路と、引用発明の「過電流保護ユニット１３は、高電位側の端子（以下「Ａ点」という場合がある。）と低電位側の端子（以下「Ｂ点」という場合がある。）の間に、ＮＰＮトランジスタＴｒ２、Ｔｒ３、抵抗Ｒ４、抵抗Ｒ５を備えて構成され、端子１９と抵抗Ｒ１の間に直列に接続され、
　高電位側の端子は、トランジスタＴｒ２のコレクタ電極と抵抗Ｒ４の一端に接続され、
　トランジスタＴｒ２は、コレクタ電極が高電位側の端子に、ベース電極が抵抗Ｒ４の他端とトランジスタＴｒ３のコレクタ電極に、エミッタ電極がトランジスタＴｒ３のベース電極と抵抗Ｒ５の一端に、それぞれ接続され、
　抵抗Ｒ４は、一端が高電位側の端子とトランジスタＴｒ２のコレクタ電極に接続され、
　トランジスタＴｒ３は、コレクタ電極が抵抗Ｒ４の他端とトランシスタＴｒ２のベース電極に、ベース電極がトランジスタＴｒ２のエミッタ電極と抵抗Ｒ５の一端に、エミッタ電極が抵抗Ｒ５の他端と低電位側の端子に、それぞれ接続され、
　抵抗Ｒ５は、一端がトランジスタＴｒ２のエミッタ端子とトランジスタＴｒ３のベース端子に、他端がトランジスタＴｒ３のエミッタ端子と低電位側の端子に接続され、
　低電位側の端子は、トランジスタＴｒ３のエミッタ端子と抵抗Ｒ５の他端に接続され」、「過電流保護ユニット１３のＡ点からＢ点へ向かって流れる電流は、先ず、トランジスタＴｒ２がオフ状態になっているため、抵抗Ｒ４を通ってトランジスタＴｒ３のコレクタ側に流れ、このとき、トランジスタＴｒ３がオフ状態であるからトランジスタＴｒ２のベース電極側に流れ、トランジスタＴｒ２がオン状態となり、Ａ点からＢ点に流れる電流は、トランジスタＴｒ２を通り、抵抗Ｒ５へ流れてＢ点に至り、
　前述した経路を通って流れた電流は、抵抗Ｒ５の設定された電圧降下を越えると抵抗Ｒ５に流れていた電流はトランジスタＴｒ３のベース電極側に流れ、トランジスタＴｒ３がオン状態になり、トランジスタＴｒ２のベース電極側に流れていた電流は、トランジスタＴｒ３のコレクタ電極側からエミッタ電極側に流れるため、トランジスタＴｒ２のベース電極からエミッタ電極に流れる電流は小さくなり、抵抗Ｒ５の電圧降下は設定値より低くなり、この結果、トランジスタＴｒ３のコレクタ電極からエミッタ電極に流れる電流は小さくなり、トランジスタＴｒ２のベース電極からエミッタ電極に流れる電流は大きくなり、このような一連の動作を繰り返すことによってＢ点から流れる電流が一定になり、ここで、過電流保護ユニット１３による定電流値は、電流フィードバック制御回路２０がＬＥＤユニット１２に流そうとする所望の電流値以上に設定される」ことを対比する。
ア　本願発明の「ＮＭＯＳＦＥＴである第１スイッチ」と引用発明の「ＮＰＮトランジスタＴｒ２」は「第１スイッチ」の点で一致する。そして、引用発明の「トランジスタＴｒ２のコレクタ電極」が本願発明の「第１スイッチ」の「第１端」に、「トランジスタＴｒ２」の「エミッタ電極」が本願発明の「第１スイッチ」の「第２端」に、「トランジスタＴｒ２」の「ベース電極」が本願発明の「第１スイッチ」の「第３端」に、それぞれ相当する。
イ　引用発明の「ＮＰＮトランジスタＴｒ３」が本願発明の「ＮＰＮトランジスタである第２スイッチ」に相当し、以下同様に、引用発明の「トランジスタＴｒ３のコレクタ電極」が本願発明の「第２スイッチ」の「第１端」に、「トランジスタＴｒ３」の「エミッタ電極」が本願発明の「第２スイッチ」の「第２端」に、「トランジスタＴｒ３」の「ベース電極」が本願発明の「第２スイッチ」の「第３端」に、それぞれ相当する。
ウ　引用発明の「抵抗Ｒ４」が本願発明の「第２抵抗」に相当する。
エ　引用発明の「ＮＰＮトランジスタＴｒ２」、「ＮＰＮトランジスタＴｒ３」、「抵抗Ｒ４」は、一体として、本願発明の「スイッチモジュール」に相当するとともに、「ダブルス一致相互制御回路」に相当する。。
オ　引用発明の「トランジスタＴｒ３」の「エミッタ電極」が本願発明の「スイッチモジュールの第２端」に相当し、引用発明の「トランジスタＴｒ３」の「ベース電極」と「トランジスタＴｒ２」の「エミッタ電極」の接続部が本願発明の「スイッチモジュールの第３端」に相当する。
カ　そして、引用発明は、電源部の「出力電圧を、接続端子１８，１９を介してＬＥＤユニット１２に印加」していること、「過電流保護ユニット１３は、…端子１９と抵抗Ｒ１の間に直列に接続され」ていること、接続端子１９には、ＬＥＤユニット１２のカソード側の端子が接続されることを踏まえると、引用発明の「トランジスタＴｒ２」の「コレクタ電極」が本願発明の「スイッチモジュール」の「第１端」に相当する。
キ　引用発明の「抵抗Ｒ５」が本願発明の「第１抵抗」に相当し、引用発明の「抵抗Ｒ５」の「一端」が本願発明の「第１抵抗」の「スイッチモジュールの第３端に接続される第１端」に相当する。そして、本願発明の「第１抵抗」の「前記スイッチモジュールの第２端に接続され、前記ＬＥＤ負荷の陽極と共に前記電源変換モジュールの出力端に接続される第２端」と引用発明の「抵抗Ｒ５」の「トランジスタＴｒ３のエミッタ端子と低電位側の端子に接続され」る「他端」は、「前記スイッチモジュールの第２端に接続され」る「第２端」の点で一致する。
ク　引用発明の「過電流保護ユニット１３のＡ点からＢ点へ向かって流れる電流は、先ず、トランジスタＴｒ２がオフ状態になっているため、抵抗Ｒ４を通ってトランジスタＴｒ３のコレクタ側に流れ、このとき、トランジスタＴｒ３がオフ状態であるからトランジスタＴｒ２のベース電極側に流れ、トランジスタＴｒ２がオン状態となり、Ａ点からＢ点に流れる電流は、トランジスタＴｒ２を通り、抵抗Ｒ５へ流れてＢ点に至り、
　前述した経路を通って流れた電流は、抵抗Ｒ５の設定された電圧降下を越えると抵抗Ｒ５に流れていた電流はトランジスタＴｒ３のベース電極側に流れ、トランジスタＴｒ３がオン状態になり、トランジスタＴｒ２のベース電極側に流れていた電流は、トランジスタＴｒ３のコレクタ電極側からエミッタ電極側に流れるため、トランジスタＴｒ２のベース電極からエミッタ電極に流れる電流は小さくなり、抵抗Ｒ５の電圧降下は設定値より低くなり、この結果、トランジスタＴｒ３のコレクタ電極からエミッタ電極に流れる電流は小さくなり、トランジスタＴｒ２のベース電極からエミッタ電極に流れる電流は大きくなり、このような一連の動作を繰り返すことによってＢ点から流れる電流が一定になり、ここで、過電流保護ユニット１３による定電流値は、電流フィードバック制御回路２０がＬＥＤユニット１２に流そうとする所望の電流値以上に設定される」ことは、本願発明の「前記ＬＥＤ負荷に流す電流を検出することにより過電流保護が実行されるべきかどうかを判断し、過電流保護が実行されるべきと判断される場合に、前記電流が前記ＬＥＤ負荷の最大動作電流を超えないように制限し、前記スイッチモジュールによって前記ＬＥＤ負荷の定格動作電流へと前記電流を徐々に減少させる」ことに相当する。
ケ　引用発明の「過電流保護ユニット１３」は、本願発明の「過電流保護回路」に相当する。
コ　以上によれば、両者は、
「第２端、第３端、及びＬＥＤ負荷の陰極に接続される第１端を有するスイッチモジュール、並びに、前記スイッチモジュールの第３端に接続される第１端、及び前記スイッチモジュールの第２端に接続される第２端を有する第１抵抗を含み、前記ＬＥＤ負荷に流す電流を検出することにより過電流保護が実行されるべきかどうかを判断し、過電流保護が実行されるべきと判断される場合に、前記電流が前記ＬＥＤ負荷の最大動作電流を超えないように制限し、前記スイッチモジュールによって前記ＬＥＤ負荷の定格動作電流へと前記電流を徐々に減少させる過電流保護回路」であって、「前記スイッチモジュールは、
　第１端が前記スイッチモジュールの第１端に接続され、第２端が前記スイッチモジュールの第３端に接続され、第３端が第２抵抗を介して前記ＬＥＤ負荷の前記陽極に接続される第１スイッチと、
　第１端が前記第２抵抗及び前記第１スイッチの第３端に接続され、第２端が前記スイッチモジュールの第２端に接続され、第３端が前記スイッチモジュールの第３端に接続され、ＮＰＮトランジスタである第２スイッチと
　を含むダブルスイッチ相互制御回路である」過電流保護回路の点で一致する。
　
（３）本願発明の「前記直流電圧が過電圧であるかどうかを検出し、過電圧である場合に前記制御信号を出力して、前記制御信号によってＬＥＤ負荷に対して過電圧保護を行うための過電圧保護回路」と、引用発明の「コンデンサＣ３が接続された誤差増幅器２５を備え、抵抗Ｒ２による検知電圧ＶＲ２と第２の基準電圧Ｖ２０との差電圧Ｖ２をフィードバック信号選択回路２２のＰＷＭコンパレータ２４に出力」する「電圧フィードバック制御回路２１」対比する。
　引用発明は、「抵抗Ｒ２，Ｒ３がコンデンサＣ１に並列に接続」されていることを踏まえると、引用発明の「電圧フィードバック制御回路２１」が「抵抗Ｒ２による検知電圧ＶＲ２と第２の基準電圧Ｖ２０との差電圧Ｖ２」を出力することは、本願発明の「前記直流電圧が過電圧であるかどうかを検出し、過電圧である場合に前記制御信号を出力」することに相当し、引用発明の該「差電圧」をフィードバック信号選択回路２２のＰＷＭコンパレータ２４に出力」することは、本願発明の「前記制御信号によってＬＥＤ負荷に対して過電圧保護を行う」ことに相当する。そうすると、引用発明の「電圧フィードバック制御回路２１」は本願発明の「過電圧保護回路」に相当する。してみると、両者は相当関係にある。
　
（４）本願発明の「ＬＥＤ駆動回路」と、引用発明の「電源ユニット１１」を対比すると、両者は相当関係にある。
　
（５）以上によれば、本願発明と引用発明は、
「入力電圧を受信するための入力端、出力端、及び制御信号を受信して当該制御信号によって電源変換モジュール内部のデューティー比信号の調節を制御するための制御端を有し、前記入力電圧及び前記制御信号に応じて、電流が一定で電圧が調節可能である直流電圧を前記出力端から出力する電源変換モジュールと、
　第２端、第３端、及びＬＥＤ負荷の陰極に接続される第１端を有するスイッチモジュール、並びに、前記スイッチモジュールの第３端に接続される第１端、及び前記スイッチモジュールの第２端に接続される第２端を有する第１抵抗を含み、前記ＬＥＤ負荷に流す電流を検出することにより過電流保護が実行されるべきかどうかを判断し、過電流保護が実行されるべきと判断される場合に、前記電流が前記ＬＥＤ負荷の最大動作電流を超えないように制限し、前記スイッチモジュールによって前記ＬＥＤ負荷の定格動作電流へと前記電流を徐々に減少させる過電流保護回路と、
　前記直流電圧が過電圧であるかどうかを検出し、過電圧である場合に前記制御信号を出力して、前記制御信号によってＬＥＤ負荷に対して過電圧保護を行うための過電圧保護回路と
　を備え、
　前記スイッチモジュールは、
　第１端が前記スイッチモジュールの第１端に接続され、第２端が前記スイッチモジュールの第３端に接続され、第３端が第２抵抗に接続される第１スイッチと、
　第１端が前記第２抵抗及び前記第１スイッチの第３端に接続され、第２端が前記スイッチモジュールの第２端に接続され、第３端が前記スイッチモジュールの第３端に接続され、ＮＰＮトランジスタである第２スイッチと
　を含むダブルスイッチ相互制御回路であることを特徴とするＬＥＤ駆動回路。」の点で一致し、以下の点で相違する。
　
相違点１：第１抵抗の第２端は、本願発明では「前記ＬＥＤ負荷の陽極と共に前記電源変換モジュールの出力端に接続され」るのに対し、引用発明では「抵抗Ｒ１（電流検知部）」を介して「電源部１４」の出力に接続される点。
　
相違点２：第１スイッチの「第３端」が、本願発明では、「第２抵抗を介して前記ＬＥＤ負荷の前記陽極に接続され」るのに対し、引用発明では、抵抗Ｒ４を介して過電流保護ユニット１３の高電位側端子に接続される点。
　
相違点３：第１スイッチが、本願発明では、「ＮＭＯＳＦＥＴ」であるのに対し、引用発明では、「ＮＰＮトランジスタＴｒ２」である点
　
４　判断
　以下、上記相違点について検討する。
（１）相違点１について
　本願発明は、ＬＥＤ負荷に流れる電流を検出し、制御信号によりＬＥＤ負荷に一定の電流を流すフィードバック制御は特定されていない。一方、引用発明は、抵抗Ｒ１、電流フィードバック制御回路２０により、ＬＥＤユニット１２に一定の電流を流すフィードバック制御を行うものである。そうすると、引用発明において、ＬＥＤユニット１２に一定の電流を流すフィードバック制御行うことなく、すなわち、「抵抗Ｒ１（電流検知部）」を介することなく「電源部１４」の出力に接続し、上記相違点１に係る本願発明の発明特定事項と為すことに困難性は無い。
　
（２）相違点２について
　はじめに、本願発明の「第２抵抗」が有する技術的意義について検討する。本願の発明の詳細な説明には、第２抵抗が有する技術的意義について、格別の記載はない。そこで、技術常識を参酌すると、本願のスイッチモジュールの回路構成において、第１スイッチの導通は、第２抵抗の第２端の電位により制御されるものと解されるから、本願発明の「第２抵抗」は、ＬＥＤ負荷が接続されたときに第１スイッチを導通させる意義を有するものと解される。
　一方、引用発明は、「先ず、トランジスタＴｒ２がオフ状態になっているため、抵抗Ｒ４を通ってトランジスタＴｒ３のコレクタ側に流れ、このとき、トランジスタＴｒ３がオフ状態であるからトランジスタＴｒ２のベース電極側に流れ、トランジスタＴｒ２がオン状態となり」との特定事項を有するとおり、抵抗Ｒ４は、トランジスタＴｒ２をオン状態とする機能を有する。
　してみると、本願発明の「第１抵抗」と引用発明の「抵抗Ｒ４」は、何れも「第１スイッチ」を導通させる点で、同様の技術的意義を有するものであり、「第１抵抗の第２端」を接続する箇所としては、上記技術的意義を有する範囲で当業者が適宜変更しうるものと認められる。そうすると、例えば、当審拒絶理由で引用した特開２００８−５０９５２３号公報の【００７８】の記載や図７Ｃの回路構成を踏まえ、引用発明において、抵抗Ｒ４の一端を接続する箇所を、「過電流保護ユニット１３の高電位側端子」に代えて、「ＬＥＤユニット１２」の陽極側の端子と為し、上記相違点２に係る本願発明の発明特定事項と為すことは、当業者が容易に想到し得たことと認められる。
　
（３）相違点３について
　スイッチとして、ＮＭＯＳＦＥＴとＮＰＮトランジスタは何れも周知のスイッチであるところ、当審拒絶理由で引用した特表２００８−５０９５２３号公報の【００７８】の記載や図７Ｃの回路構成を踏まえ、引用発明のＮＰＮトランジスタＴｒ２に代えてＮＭＯＳＦＥＴを用い、上記相違点３にかかる本願発明の発明特定事項となすことに困難性はない。
　
５　作用効果について
　本願発明がそうする作用効果は、引用発明と周知の技術に基づいて当業者が容易に想到しえたものである。
　
６　小括
　以上のとおり、本願発明は、引用発明と周知の技術に基づいて当業者が容易に発明をすることができたものであるから、特許法第２９条第２項の規定により、特許を受けることができない。
　
第６　むすび
　したがって、本願発明は、特許法第２９条の２、及び第２９条第２項の規定により特許受けることができない。
　よって、上記結論のとおり審決する。